(57)【要約】      （修正有）【課題】計測結果チャート記録装置においてユーザーにとって従来から用いられてきた紙でなるチャートと同じように感覚に働きかける電子化したチャートの出力を提供する。【解決手段】計測結果とその計測時間とを関連付けたデータである計測結果データに基づいて、一軸を目盛を有する物理量軸とし、他の一軸を目盛を有する計測時間軸とするとともに、計測時間軸に平行に物理量軸から目盛単位で物理量を表す罫線を表示し、物理量軸と平行に計測時間軸から目盛単位で計測時間を表す罫線を表示した電子化チャート上に計測結果データを表したものであって紙に印刷するイメージのものである電子化計測結果チャートを生成する電子化計測結果チャート生成部０１０３と、生成した電子化計測結果チャートを保持する電子化計測結果チャート保持部０１０５と、電子化計測結果チャートを出力する電子化計測結果チャート出力部０１０７と、を有する。【選択図】図１
2020030195.tif 000002
【特許請求の範囲】
【請求項１】
センサーの計測した物理量である計測結果とその計測時間とを関連付けたデータである計測結果データを取得する計測結果データ取得部と、
取得した計測結果データに基づいて、一軸を目盛を有する物理量軸とし、他の一軸を目盛を有する計測時間軸とするとともに、計測時間軸に平行に物理量軸から目盛単位で物理量を表す罫線を表示し、物理量軸と平行に計測時間軸から目盛単位で計測時間を表す罫線を表示した電子化チャート上に計測結果データを表したものであって紙に印刷するイメージのものである電子化計測結果チャートを生成する電子化計測結果チャート生成部と、
生成した電子化計測結果チャートを保持する電子化計測結果チャート保持部と、
電子化計測結果チャートを出力する電子化計測結果チャート出力部と、
を有する計測結果チャート記録装置。
【請求項２】
計測結果データ取得部は、稼働中の設備で計測されるリアルタイムな物理量であるリアルタイム計測結果データを取得するリアルタイム計測結果データ取得手段を有し、
電子化計測結果チャート出力部は、リアルタイム計測結果データ取得手段が取得したリアルタイム計測結果データをリアルタイムで出力するリアルタイム電子化計測結果チャート出力手段を有し、
さらにリアルタイム電子化計測結果チャート出力手段から出力されるリアルタイムな電子化計測結果チャートであるリアルタイム電子化計測結果データにリアルタイムなメモであるリアルタイムメモを挿入するリアルタイムメモ挿入部を有する請求項１に記載の計測結果チャート記録装置。
【請求項３】
電子化計測結果チャート保持部に保持されている電子化計測結果チャートに事後的なメモである事後的メモを挿入する事後的メモ挿入部をさらに有する請求項１又は請求項２に記載の計測結果チャート記録装置。
【請求項４】
電子化計測結果チャート保持部に保持されている電子化計測結果チャートに事後的なメモである事後的メモをリアルタイムメモと識別可能に挿入する識別事後的メモ挿入部をさらに有する請求項２に記載の計測結果チャート記録装置。
【請求項５】
電子化計測結果チャート出力部は、プリンターから電子化計測結果チャートを出力する第一プリンター出力手段を有する請求項１から請求項４のいずれか一に記載の計測結果チャート記録装置。
【請求項６】
電子化計測結果チャート出力部は、チャート記録装置から計測結果データをチャート用紙に出力するチャート用紙出力手段を有する請求項１から請求項４のいずれか一に記載の計測結果チャート記録装置。
【請求項７】
計測結果データ取得部は、計測結果データのファイル処理単位情報を取得するファイル処理単位情報取得手段を有し、
電子化計測結果チャート生成部は、取得したファイル処理単位情報に基づいて、電子計測結果チャートの終了位置、又は開始位置を示す区切りを電子化計測結果チャート上に生成する区切生成手段をさらに有する請求項１から請求項６のいずれか一に記載の計測結果チャート記録装置。
【請求項８】
電子化計測結果チャート保持部は、取得されたファイル処理単位情報に基づいて示される単位にてファイルを保持するファイル単位保持手段を有する請求項７に記載の計測結果チャート記録装置。
【請求項９】
ファイル処理単位情報取得手段を制御する計測開始・終了指示入力部をさらに有する請求項７又は請求項７に従属する請求項８に記載の計測結果チャート記録装置。
【請求項１０】
計測結果チャート記録装置の計測結果チャート記録方法であって、
センサーの計測した物理量である計測結果を取得する取得ステップ、
取得した計測結果と、その計測時間とを関連付けたデータである計測結果データを生成する計測結果データ生成ステップと、
チャートのスケール情報を取得するチャートスケール情報取得ステップと、
取得したチャートスケール情報と、生成した計測結果データに基づいて、電子化チャート上に計測結果データを表したものであって紙に印刷するイメージのものである電子化計測結果チャートを生成する電子化計測結果チャート生成ステップと、
生成した電子化計測結果チャートを保持する電子化計測結果チャート保持ステップと、
電子化計測結果チャートを出力する電子化計測結果チャート出力ステップと、
を有する計測結果チャート記録方法。
【請求項１１】
センサーの計測した物理量である計測結果を取得する計測結果データ取得部を有する計算機である計測結果チャート記録装置の計測結果チャート記録プログラムであって、
センサーの計測した物理量である計測結果を取得する取得ステップ、
取得した計測結果と、その計測時間とを関連付けたデータである計測結果データを生成する計測結果データ生成ステップと、
チャートのスケール情報を取得するチャートスケール情報取得ステップと、
取得したチャートスケール情報と、生成した計測結果データに基づいて、電子化チャート上に計測結果データを表したものであって紙に印刷するイメージのものである電子化計測結果チャートを生成する電子化計測結果チャート生成ステップと、
生成した電子化計測結果チャートを保持する電子化計測結果チャート保持ステップと、
電子化計測結果チャートを出力する電子化計測結果チャート出力ステップと、
を計算機である計測結果チャート記録装置に読取り実行可能に記述した計測結果チャート記録プログラム。
【請求項１２】
計算機である計測結果チャート記録装置で読み取り実行可能に記述した計測結果チャート記録プログラムが記録された記録媒体であって、
センサーの計測した物理量である計測結果を取得する取得ステップと、
取得した計測結果と、その計測時間とを関連付けたデータである計測結果データを生成する計測結果データ生成ステップと、
チャートのスケール情報を取得するチャートスケール情報取得ステップと、
取得したチャートスケール情報と、生成した計測結果データに基づいて、電子化チャート上に計測結果データを表したものであって紙に印刷するイメージのものである電子化計測結果チャートを生成する電子化計測結果チャート生成ステップと、
生成した電子化計測結果チャートを保持する電子化計測結果チャート保持ステップと、
電子化計測結果チャートを出力する電子化計測結果チャート出力ステップと、
を計算機である計測結果チャート記録装置に読取り実行可能に記述した計測結果チャート記録プログラムが記録された記録媒体。
【発明の詳細な説明】
【技術分野】
【０００１】
本発明は、センサーの計測した物理量である計測結果を取得する計測結果チャート記録装置に関する。
【背景技術】
【０００２】
従来、所定の物理量を検出するセンサーからの出力を受けてチャート用紙にチャートを印刷する記録計が利用されている。記録計では、一例として熱電対センサーや測温抵抗体等のセンサーを用いて温度を検出し、その結果をチャートとして印刷することにより、加熱炉の温度制御に利用することができる（例えば特許文献１）。記録計においては、センサーを変えることで温度の他、湿度、組成ガスの濃度、圧力等を検出してチャート化することも可能である。
【０００３】
近年、チャート用紙の代わりにデジタルデータとして計測結果を示すチャートを記録する記録計が開発されている。このようなデジタルデータとしてチャートを記録する場合は、紙からなるチャート用紙と比較してチャートの管理を簡便にすることが可能である。
【先行技術文献】
【特許文献】
【０００４】
【特許文献１】特開２０１２−１０３０８４号公報
【発明の概要】
【発明が解決しようとする課題】
【０００５】
しかしながら、従来記録計のチャートとしてはチャート用紙に印刷する形式が長らく用いられてきているため、ユーザーにとっては、一見チャート紙と同様の形式で出力される物であっても微妙な差異があるために（紙チャートのような上下左右端がディスプレイ上に表現されない等）デジタルデータの形式であるとチャートを参照しづらいという問題がある。その結果、例えばチャートを利用した所定領域の雰囲気等の直感的な把握、直感的な理解に支障をきたすおそれがある。
【０００６】
本発明の目的は、上記課題を解決するため、計測結果チャート記録装置においてユーザーにとって従来から用いられてきた紙でなるチャートと同じように感覚に働きかける電子化したチャートの出力を提供することにある。
【課題を解決するための手段】
【０００７】
上記課題を解決するために本発明において、以下の計測結果チャート記録装置を提供する。すなわち、第一の発明として、センサーの計測した物理量である計測結果とその計測時間とを関連付けたデータである計測結果データを取得する計測結果データ取得部と、取得した計測結果データに基づいて、一軸を目盛を有する物理量軸とし、他の一軸を目盛を有する計測時間軸とするとともに、計測時間軸に平行に物理量軸から目盛単位で物理量を表す罫線を表示し、物理量軸と平行に計測時間軸から目盛単位で計測時間を表す罫線を表示した電子化チャート上に計測結果データを表したものであって紙に印刷するイメージのもの（例えば「ＰＤＦ」形式）である電子化計測結果チャートを生成する電子化計測結果チャート生成部と、生成した電子化計測結果チャートを保持する電子化計測結果チャート保持部と、電子化計測結果チャートを出力する電子化計測結果チャート出力部と、を有する（請求項１対応）。
【０００８】
前記特徴に加え、計測結果データ取得部は、稼働中の設備で計測されるリアルタイムな物理量であるリアルタイム計測結果データを取得するリアルタイム計測結果データ取得手段を有し、電子化計測結果チャート出力部は、リアルタイム計測結果データ取得手段が取得したリアルタイム計測結果データをリアルタイムで出力するリアルタイム電子化計測結果チャート出力手段を有し、さらにリアルタイム電子化計測結果チャート出力手段から出力されるリアルタイムな電子化計測結果チャートであるリアルタイム電子化計測結果データにリアルタイムなメモであるリアルタイムメモを挿入するリアルタイムメモ挿入部を有する（請求項２対応）。
【０００９】
前記特徴に加え、電子化計測結果チャート保持部に保持されている電子化計測結果チャートに事後的なメモである事後的メモを挿入する事後的メモ挿入部をさらに有する（請求項３対応）。
【００１０】
前記特徴に加え、電子化計測結果チャート保持部に保持されている電子化計測結果チャートに事後的なメモである事後的メモをリアルタイムメモと識別可能に挿入する識別事後的メモ挿入部をさらに有する（請求項４対応）。
【００１１】
前記特徴に加え、電子化計測結果チャート出力部は、プリンターから電子化計測結果チャートを出力する第一プリンター出力手段を有する（請求項５対応）。
【００１２】
前記特徴に加え、電子化計測結果チャート出力部は、チャート記録装置から計測結果データをチャート用紙に出力するチャート用紙出力手段を有する（請求項６対応）。
計測結果データ取得部は、計測結果データのファイル処理単位情報を取得するファイル処理単位情報取得手段を有し、
【００１３】
前記特徴に加え、電子化計測結果チャート生成部は、取得したファイル処理単位情報に基づいて、電子ア計測結果チャートの終了位置、又は開始位置を示す区切りを電子化計測結果チャート上に生成する区切生成手段をさらに有する（請求項７対応）
【００１４】
前記特徴に加え、電子化計測結果チャート保持部は、取得されたファイル処理単位情報に基づいて示される単位にてファイルを保持するファイル単位保持手段を有する（請求項８対応）。
【００１５】
前記特徴に加え、ファイル処理単位情報取得手段を制御する計測開始・終了指示入力部をさらに有する（請求項９対応）。
【００１６】
上記課題を解決するために本発明において、以下の計測結果チャート記録装置の計測結果チャート記録方法を提供する。すなわち、第二の発明として、センサーの計測した物理量である計測結果を取得する取得ステップ、取得した計測結果と、その計測時間とを関連付けたデータである計測結果データを生成する計測結果データ生成ステップと、チャートのスケール情報を取得するチャートスケール情報取得ステップと、取得したチャートスケール情報と、生成した計測結果データに基づいて、電子化チャート上に計測結果データを表したものであって紙に印刷するイメージのもの（例えば「ＰＤＦ」形式）である電子化計測結果チャートを生成する電子化計測結果チャート生成ステップと、生成した電子化計測結果チャートを保持する電子化計測結果チャート保持ステップと、電子化計測結果チャートを出力する電子化計測結果チャート出力ステップとを有する（請求項１０対応）。
【００１７】
上記課題を解決するために本発明において、以下の計測結果チャート記録プログラムを提供する。すなわち、第三の発明として、センサーの計測した物理量である計測結果を取得する計測結果データ取得部を有する計算機である計測結果チャート記録装置の計測結果チャート記録プログラムであって、センサーの計測した物理量である計測結果を取得する取得ステップ、取得した計測結果と、その計測時間とを関連付けたデータである計測結果データを生成する計測結果データ生成ステップと、チャートのスケール情報を取得するチャートスケール情報取得ステップと、取得したチャートスケール情報と、生成した計測結果データに基づいて、電子化チャート上に計測結果データを表したものであって紙に印刷するイメージのもの（例えば「ＰＤＦ」形式）である電子化計測結果チャートを生成する電子化計測結果チャート生成ステップと、生成した電子化計測結果チャートを保持する電子化計測結果チャート保持ステップと、電子化計測結果チャートを出力する電子化計測結果チャート出力ステップと、を有する（請求項１１対応）。
【００１８】
上記課題を解決するために本発明において、以下の記録媒体を提供する。記録媒体は、計算機である計測結果チャート記録装置に読取り実行可能に記述した計測結果チャート記録プログラムが記録されたものである。すなわち、第四の発明として、計算機である計測結果チャート記録装置の計測結果チャート記録プログラムが記録された記録媒体であって、センサーの計測した物理量である計測結果を取得する取得ステップと、取得した計測結果と、その計測時間とを関連付けたデータである計測結果データを生成する計測結果データ生成ステップと、チャートのスケール情報を取得するチャートスケール情報取得ステップと、取得したチャートスケール情報と、生成した計測結果データに基づいて、電子化チャート上に計測結果データを表したものであって紙に印刷するイメージのもの（例えば「ＰＤＦ」形式）である電子化計測結果チャートを生成する電子化計測結果チャート生成ステップと、生成した電子化計測結果チャートを保持する電子化計測結果チャート保持ステップと、電子化計測結果チャートを出力する電子化計測結果チャート出力ステップと、を有する（請求項１２対応）。
【発明の効果】
【００１９】
上述した構成によれば、計測結果チャート記録装置において計測結果チャート記録装置においてユーザーにとって従来から用いられてきた紙でなるチャートと同じように感覚に働きかける電子化したチャートの出力が可能である。
【図面の簡単な説明】
【００２０】
【図１】実施形態１の計測結果チャート記録装置の機能ブロック図。
【図２】実施形態１の計測結果チャート記録装置におけるインターフェースの概略図。
【図３】実施形態１の計測結果チャート記録装置におけるインターフェースの概略図。
【図４】実施形態１の計測結果チャートの概略図。
【図５】実施形態１の計測結果チャート記録装置のハードウェア構成を示すブロック図。
【図６】実施形態１の計測結果チャート記録装置の処理フローチャート。
【図７】実施形態２の計測結果チャート記録装置の機能ブロック図。
【図８】実施形態２の計測結果チャート記録装置におけるインターフェースの概略図。
【図９】実施形態２の計測結果チャート記録装置におけるインターフェースの概略図。
【図１０】実施形態２の計測結果チャート記録装置のハードウェア構成を示すブロック図。
【図１１】実施形態２の計測結果チャート記録装置の処理フローチャート。
【図１２】実施形態３の計測結果チャート記録装置の機能ブロック図。
【図１３】実施形態３の計測結果チャート記録装置におけるインターフェースの概略図。
【図１４】実施形態３の計測結果チャート記録装置におけるインターフェースの概略図。
【図１５】実施形態３の計測結果チャート記録装置におけるインターフェースの概略図。
【図１６】実施形態３の計測結果チャート記録装置のハードウェア構成を示すブロック図。
【図１７】実施形態３の計測結果チャート記録装置の処理フローチャート。
【図１８】実施形態４の計測結果チャート記録装置の機能ブロック図。
【図１９】実施形態４の計測結果チャート記録装置におけるインターフェースの概略図。
【図２０】実施形態４の計測結果チャート記録装置におけるインターフェースの概略図。
【図２１】実施形態４の計測結果チャート記録装置のハードウェア構成を示すブロック図。
【図２２】実施形態４の計測結果チャート記録装置の処理フローチャート。
【図２３】実施形態５の計測結果チャート記録装置の機能ブロック図。
【図２４】実施形態５の計測結果チャート記録装置におけるインターフェースの概略図。
【図２５】実施形態５の計測結果チャート記録装置の計測結果チャートの出力例の概略図。
【図２６】実施形態５の計測結果チャート記録装置のハードウェア構成を示すブロック図。
【図２７】実施形態５の計測結果チャート記録装置の処理フローチャート。
【図２８】実施形態６の計測結果チャート記録装置の機能ブロック図。
【図２９】実施形態６の計測結果チャート記録装置におけるインターフェースの概略図。
【図３０】チャート用紙の概略図。
【図３１】実施形態６の計測結果チャート記録装置の計測結果チャートの出力例の概略図。
【図３２】実施形態６の計測結果チャート記録装置のハードウェア構成を示すブロック図。
【図３３】実施形態６の計測結果チャート記録装置の処理フローチャート。
【図３４】実施形態７の計測結果チャート記録装置の機能ブロック図。
【図３５】実施形態７の計測結果チャート記録装置におけるインターフェースの概略図。
【図３６】実施形態７の計測結果チャート記録装置の計測結果チャートの出力例の概略図。
【図３７】実施形態７の計測結果チャート記録装置のハードウェア構成を示すブロック図。
【図３８】実施形態７の計測結果チャート記録装置の処理フローチャート。
【図３９】実施形態８の計測結果チャート記録装置の機能ブロック図。
【図４０】実施形態８の計測結果チャート記録装置におけるインターフェースの概略図。
【図４１】実施形態８の計測結果チャート記録装置のハードウェア構成を示すブロック図。
【図４２】実施形態８の計測結果チャート記録装置の処理フローチャート。
【図４３】実施形態９の計測結果チャート記録装置の機能ブロック図。
【図４４】実施形態９の計測結果チャート記録装置におけるインターフェースの概略図。
【図４５】実施形態９の計測結果チャート記録装置のハードウェア構成を示すブロック図。
【図４６】実施形態９の計測結果チャート記録装置の処理フローチャート。
【発明を実施するための形態】
【００２１】
以下に、図を用いて本発明の実施の形態を説明する。なお、本発明はこれら実施の形態に何ら限定されるものではなく、その要旨を逸脱しない範囲において、種々なる態様で実施しうる。
＜実施形態１＞
【００２２】
実施形態１は、主として請求項１、請求項１０、請求項１１、請求項１２に対応している。実施形態２は、主として、請求項２に対応している。実施形態３は、主として、請求項３に対応している。実施形態４は、主として、請求項４に対応している。実施形態５は、主として、請求項５に対応している。実施形態６は、主として、請求項６に対応している。
実施形態７は、主として、請求項７に対応している。実施形態８は、主として、請求項８に対応している。実施形態９は、主として、請求項９に対応している。
【００２３】
＜実施形態１  概要＞
取得した計測結果データに基づいて、一軸を目盛を有する物理量軸とし、他の一軸を目盛を有する計測時間軸とするとともに、計測時間軸に平行に物理量軸から目盛単位で物理量を表す罫線を表示し、物理量軸と平行に計測時間軸から目盛単位で計測時間を表す罫線を表示した電子化チャート上に計測結果データを表したものであって紙に印刷するイメージのもの（例えば「ＰＤＦ」形式）である電子化計測結果チャートを生成するように構成した計測結果チャート記録装置である。
【００２４】
＜実施形態１  構成＞
図１に示すように、計測結果チャート記録装置は、センサーＳＥと、計測結果データ取得部０１０１と、電子化計測結果チャート生成部０１０３と、電子化計測結果チャート保持部０１０５と、電子化計測結果チャート出力部０１０７とを有する。
【００２５】
＜実施形態１  構成の説明＞
＜実施形態１  センサー＞
「センサー」ＳＥは、所定の物理量を検出する回路を有する検出デバイスである。所定の物理量とは、温度、湿度、気圧、圧力（液体や固体に対するもの）、組成ガスの濃度、組成液体の濃度、照度、流速、電流、電圧、電磁界、電界、磁界、放射線強度、紫外線強度、赤外線強度、振動、騒音、透明度、輝度、粘度、等を挙げることができる。本願発明において物理量は特に限定されないが、実施例の説明においては主に温度等を用いて説明する。
このセンサーＳＥの一例としては、熱電対センサーを挙げることができる。熱電対センサーは異なる材料の２本の金属線を接続した１つの回路（熱電対）によって構成される。熱電対センサーの金属線の各接点に温度差が与えられると、回路に電圧が発生する。センサーＳＥは加熱炉内等に配置されるため、加熱炉内等に配置された第１の接点の周囲の温度と、例えば加熱炉外に配置された第２の接点の周囲の温度には差がある。この温度差によりセンサーＳＥには電圧が発生する。計測結果チャート記録装置によりこの電圧を測定することにより温度が測定される。
【００２６】
＜実施形態１  計測結果データ取得部＞
「計測結果データ取得部」０１０１は、センサーＳＥが検出した物理量である計測結果を電圧信号として取得し、さらに図示しない計時部から計測時間を取得する。さらに計測結果データ取得部０１０１は、計測結果と計測時間とを関連付け計測結果データとする。例えば、計測結果データ取得部０１０１は、センサーＳＥに生じた電圧信号（計測結果データ）を数値データに変換し、この変換した計測結果データが取得されたタイミングで取得された計測時間と対応付けることにより関連付けを行う。この計測結果データは電子化計測結果チャート生成部１０３による後述の処理に利用される。
【００２７】
＜実施形態１  電子化計測結果チャート生成部＞
「電子化計測結果チャート生成部」０１０３は、センサーＳＥの計測した物理量である計測結果の、経時的変化を示す電子化計測結果チャートを生成する。計測結果データ取得部０１０１により取得された計測結果データは、計測時間と関連付けられているため、図４に示すような物理量の経時的な変化を示す電子化計測結果チャートを作成することができる。
【００２８】
「電子化計測結果チャート」とは、取得した計測結果データに基づいて、一軸を目盛を有する物理量軸とし、他の一軸を目盛を有する計測時間軸とするとともに、計測時間軸に平行に物理量軸から目盛単位で物理量を表す罫線を表示し、物理量軸と平行に計測時間軸から目盛単位で計測時間を表す罫線を表示した電子化チャート上に計測結果データを表したものであって紙に印刷するイメージのもの（例えば「ＰＤＦ」形式）である。
【００２９】
従来から製造装置の技術者や管理者は紙のチャートを取り扱うことに慣れているために、単に電子化したデータを画面に表示されるだけでは違和感がぬぐえず、従来の感覚でデータを眺めづらいという問題を解消するものである。
【００３０】
紙に印刷するイメージのチャートで出力するが、チャートは紙のもので有効記録幅が１００ｍｍから１２０ｍｍ程度で、長さが１０ｍから長くても２０ｍ程度である。一つの処理（熱処理など）では、この長さが１０ｍから２０ｍ以内に記録が完結するように時間軸の長さなどを調整して記録を行う。本発明においても、この感覚に類似の感覚で電子化計測結果チャートを眺められるようにする必要があり、この電子化計測結果チャートは前述のように縦横比（有効記録幅＋余白：長さ）が１２：１０００〜１５：１０００程度で一枚の紙を構成するように生成する必要がある。つまり、長さである１０ｍないしは、縦横比で１０００に該当する領域ではページの境目がないように電子化計測結果チャートを生成する。この点で通常の紙に印刷するイメージのものがＡ４、Ａ３、Ｂ４、Ｂ５などの定型であるのと異なる。
【００３１】
さらに、本発明では、紙のチャートの不便な点、すなわち、長さがせいぜい１０ｍ程度しか取れない点（紙チャートの収納機構の制約による）を改良して、実際には１０ｍを超える長さの電子化計測結果チャートを生成するように構成してもよい。従って前記縦横比は、１２：２０００〜１５：２０００あるいは、さらに横比を大きくとって２０００以上５０００以下など適宜のものを採用できる。どの程度の縦横比にするかは実際の計測ロットごとに、書き込み（計測）の開始と書き込み（計測）の終了とで任意に定められるようにすると便利である。
【００３２】
電子化計測結果チャートには記録が左から右に向かってされるタイプの場合には記録開始位置の左位置に罫線が配置されない開始余白領域（文字等が記録されていることは妨げない。以下同じ。）を設けてそれよりも左側には紙が存在しない状態で表示を行い、記録終了位置の右側には罫線が配置されない終了余白領域を設け、それよりも右側には紙が存在しない状態で表示を行う。この余白領域の存在と紙が存在しない領域の表示によってより現実のチャート用紙に似た感覚で計測結果を眺めることができる。ここでは余白領域と紙が存在しない領域を同時に表現する処理について述べたが、余白領域のみ存在させて、紙が存在しない領域を表現しない処理でもよい。
【００３３】
また、以上の説明は記録をチャート紙に対して左から右に向けて行う場合について述べたが、右から左に向けて行う場合、下から上に向けて行う場合、上から下に向けて行う場合も同様に処理するのが好ましい。
【００３４】
また、チャート用紙には、矩形状のもの以外に円形状のものがあり、本発明の電子化計測結果チャートは、円形状のチャートを除外するものではない。この場合には記録開始領域に隣接する余白部分と記録終了領域に隣接する余白部分は共通の部分となる。円形状チャートとして電子化計測結果チャートを生成する場合には、中心部分の穴を表示するように構成する。穴は一般に１０ｍｍ程度から２０ｍｍ程度であるが、円形の直径に合わせて調整することが可能である。円形チャートの場合には、計測の時間長に応じて曲率半径（直径）を任意に設定することが可能であり、デフォルトの直径は比較的小さく（例えば１０ｃｍから２０ｃｍ程度）にとっておき、計測時間に応じて直径を徐々に大きくしていくことも考えらえる。さらにこの技術に関しては実施形態７でも関連事項（１チャート内における区切りの生成）を述べる。
【００３５】
＜実施形態１  電子化計測結果チャート設定画面の一例＞
電子化計測結果チャートの作成のためのユーザーインターフェースの一例を図２および図３を参照して以下説明する。計測結果データ取得部０１０１により取得される計測結果（物理量）は様々であり、またセンサーＳＥは複数あり、チャンネルごとに接続されている。つまり、計測結果データ取得部０１０１は、同時に複数種類の物理量を計測可能である。また同種の計測対象であっても、測定のレンジがケースごとに異なる場合もある。したがって、電子化計測結果チャートは、チャンネルごとの測定種別ごと、およびチャンネルごとの物理量のスケール（上限値等）を設定する必要がある。さらに測定している物理量の種別が電子化計測結果チャート上でユーザーが把握できるように、電子化計測結果チャートの表示態様（チャートを構成する線の表示態様）を識別可能にする。
【００３６】
このような電子化計測結果チャートの各種設定をするために、例えば図２に示すような電子化計測結果チャートの設定画面が記憶装置（図５の不揮発メモリ等）に記憶されている。ユーザーは入力デバイスＩを介して電子化計測結果チャート設定画面を読み出す操作を実行すると、計測結果チャート記録装置のディスプレイＤにおいて当該設定画面が表示される。具体的に図２の表示画面においては、時刻情報表示領域０２０１、設定項目リスト０２０３、決定ボタン０２０５およびリセットボタン０２０７が設けられている。
【００３７】
時刻情報表示領域０２０１は、任意の計測時間（時刻情報等）取得手段（図示せず）により取得された現在時刻情報に基づく現在時刻が表示される領域である。
【００３８】
設定項目リスト０２０３は、センサーＳＥのチャンネルごとの設定項目を一覧表示するリストである。設定項目リスト０２０３においては、センサーＳＥのチャンネルごとの「１．測定種別」とその線種および「２．物理量軸スケール」と、「３．時間軸スケール」の設定値が表示されている。これら３種類の設定項目については、計測結果チャート記録装置が接続されたセンサーＳＥを自動的に判別し、判別したセンサーＳＥの種別ごとの設定の参照値をあらかじめ記憶しており、その参照値を設定項目リスト０２０３の対応する箇所に表示する構成でもよい。あるいは、設定項目リスト０２０３が表示され、ユーザーが設定するまではリストの設定値の表示欄を空欄あるいは「−」等の未設定であることを示す表示をする構成であってもよい。
【００３９】
設定項目リスト０２０３の「１．測定種別」の表示欄は、各チャンネルに接続されたセンサーＳＥが計測する物理量の種別を表す表示領域である。図２においては温度、湿度、圧力、酸素濃度が示されている。ただし、上述したように他の種別の物理量が測定される構成の場合は、当該他の種別も選択可能である。測定種別の表示欄の右にある「１．変更」の表示欄には「１．測定種別」の種類を変更・選択するためのドロップダウンリスト（図示せず）を表示するためのボタンが表示されている。「▼」が入力デバイスＩを介して選択されると、計測結果データ取得部０１０１の処理によりドロップダウンリストが表示され、温度、湿度、圧力、酸素濃度、その他の測定種別をユーザーが選択可能となる。ドロップダウンリストにおけるいずれかの測定種別を選択すると、その測定種別が設定される。ここで選択した測定種別により、その右欄における「２．物理量軸スケール」の入力値「℃」、「％ＲＨ」、「ｋＰａ」、「％Ｏ２」等の入力制限が設定される。つまり温度が選択されると、「２．物理量軸スケール」の入力値は「℃」に制限される。
【００４０】
またチャンネルごとの「１．測定種別」が設定されると、電子化計測結果チャートにおいて各チャンネルのセンサーＳＥごとに表示される線種が設定される。この線種はあらかじめ測定種別、あるいは計測対象の設備や物品ごとに対応関係が決まっていてもよい。またこの画面上で逐一設定するように構成されていてもよい。なお、説明の便宜上、図２では線種で識別するように示したが、線色等、他の表示態様による識別が可能となるように構成されていてもよい。
【００４１】
「２．物理量軸」の表示欄は、チャンネルごとに設定された測定種別に応じた物理量のスケールを表す表示領域である。このスケールとして、図２においては上限値が表示されている。ただし、上限値だけでなくレンジを表示するように構成されていてもよい。物理量軸スケールの表示欄の右にある「２．変更」の表示欄には「２．物理量軸スケール」のスケールを変更するためのスケール入力画面を表示するためのボタンが表示されている。「▼」が入力デバイスＩを介して選択されると、計測結果データ取得部０１０１の処理によりスケール入力画面が表示され、温度、湿度、圧力、酸素濃度、その他の測定種別におけるスケールを入力可能となる。
【００４２】
電子化計測結果チャートは図４に示すように横軸を物理量軸、縦軸を時間軸とする罫線を表示するように構成されており、横軸の一端（図４のチャート左端）を下限値、他端を上限値とするならば、この物理量軸スケールで設定されるスケールの上限値が他端となる。このように設定したときの上限値と下限値のレンジにより罫線の１目盛分の数値が定まる。
【００４３】
「３．時間軸」の表示欄は、電子化計測結果チャートの縦軸における時間ごとの移動スピードを表す表示領域である。この時間軸スケールとして、図２においては１時間ごとに進む電子化計測結果チャート上における移動距離が表示されている。ただし、1分毎、1秒ごと等、任意の表示形式をとることが可能である。時間軸スケールの表示欄の右にある「３．変更」の表示欄には「３．時間軸スケール」のスケールを変更するためのスケール入力画面を表示するためのボタンが表示されている。「▼」が入力デバイスＩを介して選択されると、計測結果データ取得部０１０１の処理によりスケール入力画面が表示され、１時間ごとの移動量を変更する入力が可能となる。時間軸スケール情報は、チャンネルごとでなく、測定ごと（電子化計測結果チャートの生成サイクルごと）に全チャンネルに対し１つ設定される。ただし、チャンネルごとに設定するように構成されていてもよい、また複数チャンネルを１グループとしてグループごとに設定するように構成されていてもよい。
【００４４】
電子化計測結果チャートは、図４に示すように横軸を物理量軸、縦軸を時間軸とする罫線を表示するように構成されており、縦軸で表示される罫線の１目盛分の単位時間が時間軸スケール情報により定まる。
【００４５】
電子化計測結果チャートの設定画面において、決定ボタン０２０５は、設定項目リスト０２０３における設定を完了するためのボタンの表示領域である。入力デバイスＩを介して決定ボタン０２０５が選択されると、設定項目リスト０２０３の表示に基づいて、電子化計測結果チャートの作成のための、測定種別ごとの線種、物理量軸スケール、時間軸スケールが不揮発メモリに記憶される。リセットボタン０２０７は、一度設定した各種設定値を消去する（あるいは参照値に戻す）ためのボタンの表示領域である。
【００４６】
＜実施形態１  電子化計測結果チャート生成画面の一例；補足＞
電子化計測結果チャートの作成に必要な各種項目が設定されると（例えば図２における「決定」ボタンが押下されると）、次に電子化計測結果チャートの作成を開始するための電子化計測結果チャートの作成開始画面が表示可能となるか、あるいは表示される。
【００４７】
この計測結果チャートの作成開始画面とは、具体的に図３の表示画面のようなものであり、この画面においては、時刻情報表示領域０３０１、設定項目リスト０３０３、開始ボタン０３０５および設定変更ボタン０３０７が設けられている。
【００４８】
時刻情報表示領域０３０１、設定項目リスト０３０３については、図２の電子化計測結果チャートの設定画面ものと同様であるが、設定項目リスト０３０３では、各種設定項目の変更ボタン「▼」は表示されない。つまり、設定項目リスト０３０３は、設定変更ボタン０３０７が入力デバイスＩを介して選択されるまで設定変更ができないように構成されている。つまり、設定項目リスト０３０３の表示領域は、設定変更ボタン０３０７が選択されるまで、入力デバイスＩ（例えばマウス等）により操作を受け付けないように構成されている。
【００４９】
開始ボタン０３０５は、電子化計測結果チャート生成部０１０３に電子化計測結果チャートの作成を開始する指示を行うためのボタンである。入力デバイスＩを介して開始ボタン０３０５が選択されると、電子化計測結果チャート生成部０１０３に電子化計測結果チャートの作成指示がなされる。なお、この開始ボタン０３０５はセンサーＳＥによる測定開始ボタンを兼ねていてもよく、あるいは炉などの設備における処理（熱処理等）の開始ボタンや、物品への加工処理を行う加工機械の開始ボタンを兼ねていてもよい。
【００５０】
また、電子化計測結果チャート生成部０１０３は、開始指示を受けて不揮発メモリから設定値（または設定変更値）と、電子化計測結果チャートの罫線等があらかじめ準備された電子化チャート（テンプレートデータ）を読み出し、計測結果データ取得部０１０１から計測結果データの取得を開始する。このようにして、上記電子化計測結果チャートの設定画面で設定された設定値、あるいは電子化計測結果チャートの生成開始画面において設定変更された設定変更値とに基づき、電子化チャート上に取得した計測結果データを書き込んで電子化計測結果チャートが作成される。
【００５１】
＜実施形態１  電子化計測結果チャートの一例；補足＞
図４において、縦軸は時間軸であり、横軸は物理量軸である。図４に示すように、電子化計測結果チャートにおいては、従来のチャート紙による出力内容と同様にユーザーが視認できるように作成される。したがって、チャート紙と同様に罫線が作成され、画面右側の時間の表示等もチャート紙に合わせて作成されている。また、画面中央にある物理量軸の単位を表す目盛の数値もチャート紙に合わせて作成される。さらに、電子化計測結果チャートでは、従来のチャート紙と同様、時間軸方向に切れ目なく連続して（電子画像データにおけるＡ４印刷等を考慮したページ表示のための分割をすることなく）電子化計測結果チャートが作成される。また、本実施形態の電子化計測結果チャートは、チャート用紙の表示形式を模して作成されているものであるため、電子化計測結果チャートのチャート用紙の短手方向の両端を示す左端０４０１と右端０４０２が表示されている。
【００５２】
前述のとおり、電子化計測結果チャートは、紙に印刷するイメージのもの（例えば「ＰＤＦ」形式）であるので、この電子化計測結果チャート出力部での電子化計測結果チャートの操作感も紙に準じた操作感が必要となる。具体的にはチャート紙をめくるように左右や上下にアナログ的にスクロールする機能があるとよい。また、チャート紙は長さが有限であるように電子化されている必要があり、データがある限りチャートが限りなく継続するという形式でなく、所定長でチャートが終了するような出力形式であることが望ましい。
【００５３】
また、紙形式である感覚を操作者に与えるために紙の上下端はディスプレイ上に表現されるように出力することが望ましい。従来から単にデータをチャート的に変換してディスプレイに表示する形式の装置は、紙の上下端の表現がなく、技術者や操作者に違和感を与えるものであった。出力される電子化計測結果チャートは、上下端だけでなく、左右端も有限であるために、最初の部分や最後の部分がスクロールによって到来した場合には、それ以前の領域や、それ以降の領域にはチャート紙が存在しないようにする表現で出力されることが好ましい。
【００５４】
さらに、電子化計測結果チャートにプロットされる計測結果の掃引線は、あたかもペンなど、従来のチャート記録装置で行われる掃引線の記録と同等であることが好ましい。つまり、線の解像度は、実際の紙のチャートで行われる記録と同等であるように構成することが好ましく、解像度を落として、ドットとドットの間に隙間が空くような出力とすることは好ましくない。ドット間は緻密にして、人の目でそれがドットで構成されていると認識できないように出力する。
【００５５】
さらにチャート用紙には、チャート用紙を機械的に送り出すための歯車を係止する穴が上下又は左右に並んでいるが、この穴も再現するように構成すると、なおチャート用紙と同等の感覚を感じ取ることができ、技術者、操作者の違和感軽減につながる。目盛に関しても、従来の単なる電子化チャートの出力は必要以上に目盛の単位を注意喚起するように構成されており、多くの数字を周辺にちりばめがちであるが、これも違和感を生む原因となっており、主に繰り返し現れる相対的に太い線と、太い線の間に場合により（縦軸、又は横軸、又は両者に）細い線が同間隔で描かれるように出力することが好ましい。
【００５６】
紙のチャート用紙は、罫線で占有されている領域と、それ以外のいわゆる余白領域とから構成されている。電子化計測結果チャートもこのように構成することが好ましく、余白領域にはメモリの物理量を知るための数字が定期的に現れるように構成することが好ましい。
【００５７】
さらに、電子化チャート形式を選択できるように構成して、余白領域にどの形式の電子化チャートであるかを示す情報をところどころに配置するように構成してもよい。さらに紙のチャート用紙には重ねて収納するために折り目が付いているが、折り目も電子化計測結果チャートに表現するように構成してもよい。また、折り目である部分を示すマークが余白領域に印刷されている紙チャート用紙もあるが、電子化計測結果チャートも余白領域に同様のマークが現れるように構成してもよい。一方紙チャートに自動記録される時刻情報や、その他の情報は一般にドットインパクト形式で印刷されることが多く、電子化計測結果チャートも同様の情報はドットインパクト形式で印刷されているように表現するように構成してもよい。
【００５８】
＜実施形態１  ルール保持部＞
「ルール保持部」０１０５は、電子化計測結果チャート生成部０１０３が生成した電子化計測結果チャートを読み出し可能に記憶する。この記憶は、電子化計測結果チャートが生成された分を順次記憶する構成であってもよく、あるいは電子化計測結果チャートの生成が完了した旨の指示を受けてから一括して記憶する構成であってもよい。
【００５９】
＜実施形態１  電子化計測結果チャート出力部＞
「電子化計測結果チャート出力部」０１０７は、入力デバイスＩを介して、ディスプレイＤへの表示、または用紙への印刷等の出力指示を受けると、指定された電子化計測結果チャートを電子化計測結果チャート保持部０１０５から読み出す。また電子化計測結果チャート出力部０１０７は、指示に応じたデバイスに対して、読みだした電子化計測結果チャートを出力する。
【００６０】
＜実施形態１  ハードウェア構成＞
図５に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）０５０１や主メモリ０５０２、システムバスＳＢ、あるいは不揮発性メモリ（またはハードディスクドライブ、ＣＤやＤＶＤなどの記憶メディアとそれらメディアの読取ドライブなど）０５０３、入力デバイスＩ、ディスプレイＤ、スピーカーＳ、マイクロフォンＭおよび第１プリンターＰＲ１を接続するインターフェースＩ／Ｆ、を挙げることができる。その他の外部周辺装置などのハードウェア構成部、例えば通信Ｉ／Ｆ０５０４、およびセンサーＳＥとそのセンサーＳＥ用のインターフェース０５０５を挙げることができる。さらにはそれらハードウェアを制御するためのドライバプログラムやその他アプリケーションプログラム、ユーザーインターフェース用アプリケーションなども挙げられる。
【００６１】
そして主メモリ０５０２上に展開したプログラムに従ったＣＰＵ０５０１の演算処理によって、入力デバイスやその他インターフェースなどから入力され、主メモリ０５０２や不揮発性メモリ０５０３（ハードディスク等）に保持されているデータなどが加工、蓄積されたり、上記各ハードウェアやソフトウェアを制御するための命令が生成されたりする。
【００６２】
あるいは本装置の機能ブロックは専用ハードウェアによって実現されてもよい。例えば、上記ＣＰＵ０５０１は演算処理を行うデバイスの一例であり、専用又は汎用のＣＰＵのいずれであってもよい。または、ＣＰＵでなく、特定用途向けＡＳＩＣ、プログラマブル論理デバイス（ＳＰＬＤやＣＰＬＤ等）、及びフィールドプログラマブルゲートアレイ（ＦＰＧＡ）などの回路であってもよい。また、本装置は一つのハードウェアやソフトウェアにより構成される場合に限られず、複数のハードウェアやソフトウェアの組み合わせによって構成されてもよく、ネットワークを介在したサーバ装置を含んで構成されてもよい。
【００６３】
また、この発明は装置として実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
【００６４】
不揮発性メモリ０５０３には、計測結果データ取得プログラム、電子化計測結果チャート生成プログラム、電子化計測結果チャート保持プログラム、電子化計測結果チャート出力プログラムと、計時プログラムが記憶され、適宜ＣＰＵ０５０１によって読出し実行可能に記憶される。不揮発性メモリ０５０３には、その他、計測結果データ、計時情報、物理量軸スケール情報、時間軸スケール情報、電子化計測結果チャートも記憶される。なお、ＣＰＵ０５０１は、主メモリに保存された、もしくは特定の回路内に直接組み込まれたプログラムを読み出し、実行してもよい。またＣＰＵが複数設けられていて、プログラムを記憶する主メモリが、機能ごとのＣＰＵに対応して個別に設けられていてもよい。
用される。
【００６５】
入力デバイスＩは、ユーザーによる装置本体の操作や各種の設定に用いられる。入力デバイスＩは、例えば装置本体に設けられたディスプレイに表示されるタッチパネル（ソフトウェアキー）であり、ユーザーのタッチパネルへの入力操作を検知して電気信号に変換し、各部に送信する。なお、入力デバイスＩは、操作者から受け付けた入力操作を電気信号に変換して適宜各回路に出力する。例えば、入力デバイスＩは、トラックボール、スイッチボタン、マウス、キーボード、タッチパネル等によって実現される。
【００６６】
ディスプレイＤは、ＣＲＴ、プラズマディスプレイ、または液晶ディスプレイ等の表示装置である。
【００６７】
＜実施形態１  計時プログラム＞
「計時プログラム」は、物理量の測定を開始してからの経過時間、あるいは炉の稼働開始からの経過時間等の時間に関する情報（計測時間）を取得する機能を有する。計時プログラムは、日付や時刻を計時情報として取得してもよい。具体的には計時プログラムは、図示しない発信器が出力したクロックパルスのパルス数をカウントし、そのカウント値が基準値に到達すると単位時間を示す単位時間信号を生成する。計時プログラムは、生成した単位時間信号に基づいて装置本体が用いる日付や時刻を生成する。また、計時プログラムは、計測結果データ取得部０１０１に計時情報（計測時間）を出力する。
【００６８】
＜実施形態１  動作説明＞
以下、図６のフローチャートを用いて完成ルールの設定に関する動作について説明する。
【００６９】
図６に示すように、まず、本実施形態の計測結果チャート記録装置をユーザーが利用するために、計測結果データ取得部０１０１は、取得ステップを実行する。このステップにおいて、計測結果データ取得部０１０１は、センサーＳＥの計測した物理量である計測結果を取得する（ステップＳ０６０１）。
【００７０】
計測結果データ取得部０１０１は、取得した計測結果と、その計測時間とを関連付けたデータである計測結果データを生成する（ステップＳ０６０２）。次に、電子化計測結果チャート生成部０１０３は、電子化計測結果チャートの物理量軸スケール情報、時間軸スケール情報および測定種別における線種情報を取得する。（ステップＳ０６０３）
【００７１】
電子化計測結果チャート生成部０１０３は、取得した物理量軸スケール情報および時間軸スケール情報と、生成され計測結果データに基づいて、電子化チャート上に計測結果データを表した電子化計測結果チャートを生成する（例えば図４；ステップＳ０６０４）。
【００７２】
電子化計測結果チャート保持部０１０５は、生成した電子化計測結果チャートを保持する（ステップＳ０６０５）。電子化計測結果チャート出力部０１０７は、電子化計測結果チャートを出力する（ステップＳ０６０５）。計測結果チャート記録装置は、電子化計測結果チャートの生成完了、測定完了あるいは稼働終了のいずれかの指示を受けると（ステップＳ０６０５；Ｙｅｓ）、処理を終了する。
【００７３】
このように、本実施形態１によれば、計測結果チャート記録装置においてユーザーにとって使いやすいチャートの出力結果を提供することができる。
【００７４】
＜実施形態２＞
＜実施形態２  概要＞
本実施形態２は、実施形態１を基本としつつ、リアルタイム計測結果データ取得手段が取得したリアルタイム計測結果データをリアルタイムで出力するリアルタイム電子化計測結果チャート出力手段を有し、さらにリアルタイム電子化計測結果チャート出力手段から出力されるリアルタイムな電子化計測結果チャートであるリアルタイム電子化計測結果データにリアルタイムなメモであるリアルタイムメモを挿入するリアルタイムメモ挿入部を有する。
【００７５】
＜実施形態２  構成＞
図７に示すように、実施形態２における計測結果チャート記録装置もセンサーＳＥと、計測結果データ取得部０７０１と、リアルタイム計測結果データ取得手段０７０２と、電子化計測結果チャート生成部０７０３と、電子化計測結果チャート保持部０７０５と、電子化計測結果チャート出力部０７０７と、リアルタイム電子化計測結果チャート出力手段０７０８と、リアルタイムメモ挿入部０７０９とを有する。以下では、実施形態１と同様な構成については説明を省略することとし、実施形態２に特徴的な構成であるリアルタイムメモ挿入部０７０９を中心に説明する。
【００７６】
＜実施形態２  構成の説明＞
＜実施形態２  リアルタイム計測結果データ取得手段＞
「リアルタイム計測結果データ取得手段」０７０２は、稼働中の設備で計測されるリアルタイムな物理量であるリアルタイム計測結果データを取得する。リアルタイム計測結果データは、計測開始されてから計測結果データ取得部０７０１が計測結果の取得を即時に開始、および計測時間（計時情報）との関連付けを行ったことにより生成されたものである。電子化計測結果チャート生成部０７０３は、リアルタイム計測結果データに基づき、リアルタイム電子化計測結果チャートを生成する。なお、電子化チャート上に計測結果データを反映させて電子化計測結果チャートを生成する点においては、実施形態１と同様である。このリアルタイム電子化計測結果チャートは、電子化計測結果チャート出力部０７０７を介してディスプレイＤに表示され、また電子化計測結果チャート保持部０７０５に記憶される。
【００７７】
＜実施形態２  リアルタイムメモ挿入部＞
「リアルタイムメモ挿入部」０７０９は、入力デバイスＩからの入力を受け、リアルタイムメモを作成する。リアルタイムメモの作成について図８および図９を参照して一例を説明する。図８は、ユーザーがディスプレイＤ等の任意の表示デバイスに表示されたリアルタイム電子化計測結果チャートを参照しながら、入力デバイスＩ等を介してリアルタイムメモを挿入する状態の一例を示す概略図である。図９は、リアルタイムメモ挿入のためのユーザーインターフェースの一例を示す概略図である。
【００７８】
＜実施形態２  リアルタイムメモ挿入用ユーザーインターフェース＞
例えば図８に示すように、ディスプレイＤ等にリアルタイム電子化計測結果チャートが表示されている状態で、リアルタイムメモ挿入用ユーザーインターフェースの画面が読み出され、ユーザーによりリアルタイムメモの挿入状態への移行操作がなされると、電子化計測結果チャートにリアルタイムメモを挿入できる状態に移行する。この状態が図９に示すリアルタイムメモ挿入用ユーザーインターフェースが開かれた状態である。なお、リアルタイムメモ挿入用ユーザーインターフェースの読み出しや、以下に説明するリアルタイムメモの入力は、入力デバイスＩによってなされる。この入力デバイスＩは、図８のようなキーボードに限らず、ディスプレイＤと入力デバイスＩが組み合わされたタッチパネルであってもよい。さらに、ディスプレイＤと表示が同期されているタブレット端末等であってもよい。この場合、タブレット端末等に直接入力した内容が、ディスプレイＤにも反映されるように構成されていてもよい。
【００７９】
さらに、音声入力によりユーザーの音声を検知し、検知した音声を認識、解析し、文字データ化してリアルタイムメモとして入力するように構成されていてもよい。この場合、音声を検知するマイクロフォンＭ等の音声検知デバイスが含まれる。また、ユーザーにより発声された音声が検知された後、その音声について、音声認識、解析するプログラムが含まれる。音声認識としては公知の音響モデル等を用いた統計的手法、形態素解析等を用いることができる。音声認識等の処理を施された結果が表示可能な文字データとなり、以下に説明するリアルタイムメモ挿入用ユーザーインターフェースに表示される。
【００８０】
図９に示すように、リアルタイムメモ挿入用ユーザーインターフェースにおいては、電子化計測結果チャート表示領域０９０１、リアルタイムメモ入力欄０９０３、リアルタイムメモ表示領域０９０５および入力確定ボタン０９０７が設けられている。
【００８１】
電子化計測結果チャート表示領域０９０１は、リアルタイム電子化計測結果チャートを表示する領域である。電子化計測結果チャート表示領域０９０１の周囲にはリアルタイムメモ入力欄０９０３が設けられている。リアルタイムメモ入力欄０９０３には、入力デバイスＩを介してユーザーが入力したリアルタイムメモが表示される。ここで入力されたリアルタイムメモは主メモリに一時的に記憶される。
【００８２】
またユーザーにより入力デバイスＩを介してリアルタイム電子化計測結果チャートのいずれかの位置が指定されると、リアルタイム電子化計測結果チャートに対するリアルタイムメモ表示領域０９０５の表示位置（座標等）が主メモリに一時的に記憶される。リアルタイムメモ表示領域０９０５には、リアルタイムメモ入力欄０９０３に入力され一時的に記憶された内容が表示される。入力確定ボタン０９０７は、リアルタイムメモ入力欄０９０３に入力された内容と、リアルタイムメモ表示領域０９０５の位置を決定するためのボタンである。入力確定ボタン０９０７が押下されると、リアルタイムメモ挿入部０７０９は、主メモリに一時的に記憶されたリアルタイムメモと表示位置を電子化計測結果チャート生成部０７０３に送る。なお、リアルタイムメモと表示位置の編集や、リアルタイムメモの消去を可能とする構成であってもよい。
【００８３】
＜実施形態２  リアルタイム電子化計測結果チャートへのリアルタイムメモ挿入＞
電子化計測結果チャート生成部０７０３は、リアルタイムメモ挿入部０７０９により主メモリに一時的に記憶されたリアルタイムメモと表示位置を受け、リアルタイム電子化計測結果チャートにおける表示位置を検索して、リアルタイム電子化計測結果チャートにリアルタイムメモを挿入する。なお、リアルタイムメモの文字サイズやリアルタイムメモ表示領域０９０５のサイズを変更することが可能な構成であってもよい。
【００８４】
＜実施形態２  ハードウェア構成＞
図１０に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）１００１や、主メモリ１００２、システムバスＳＢ、あるいは不揮発性メモリ（ハードディスクドライブや、ＣＤやＤＶＤなどの記憶メディアとそれらメディアの読取ドライブなど）１００３、任意の入力デバイスＩ、ディスプレイＤ、スピーカーＳ、マイクロフォンＭおよび第１プリンターＰＲ１を接続するインターフェースＩ／Ｆを挙げることができる。不揮発性メモリ１００３には、その他、リアルタイム計測結果データ取得サブプログラム、リアルタイムメモ挿入サブプログラム、リアルタイム電子化計測結果チャート出力サブプログラム、およびリアルタイムメモデータも記憶される。その他は実施形態１と同様である。
【００８５】
＜実施形態２  動作説明＞
以下、図１１および図１２のフローチャートを用いてリアルタイムメモ挿入に関する動作について説明する。
【００８６】
図１１に示すように、まず、ユーザーの操作に基づき（図８参照）リアルタイムメモ挿入画面（図９参照）が読み出され（ステップＳ１１０１）、ユーザーによりリアルタイムメモの挿入状態への移行操作がなされると、電子化計測結果チャートにリアルタイムメモを挿入できる状態に移行される（ステップＳ１１０２；Ｙｅｓ）。
【００８７】
図１２に示すように、ユーザーにより入力デバイスＩを介してリアルタイムメモを入力可能な状態に移行されると、リアルタイムメモが入力される（ステップＳ１２０３；Ｙｅｓ）。次にリアルタイムメモ挿入部０７０９は、リアルタイムメモ表示領域０９０５（図９参照）の表示位置の指定を促すメッセージを表示し、位置の指定があるまで待機する（ステップＳ１２０４）。表示位置の指定があると（ステップＳ１２０４）、リアルタイムメモ挿入部０７０９は、リアルタイム電子化計測結果チャートにおける表示位置の座標等を確定し、主メモリ等に一時的に記憶させる（ステップＳ１２０５）。
【００８８】
次にリアルタイムメモ挿入部０７０９は、リアルタイムメモの入力確定ボタン０９０７の押下、すなわちリアルタイムメモの入力確定指示があるまで待機する（ステップＳ１２０６）。入力確定指示があると（ステップＳ１２０６；Ｙｅｓ）、電子化計測結果チャート生成部０７０３は、リアルタイムメモ挿入部０７０９において確定されたリアルタイムメモと表示位置に基づき、リアルタイム電子化計測結果チャートにおける表示位置を検索して、リアルタイム電子化計測結果チャートにリアルタイムメモを挿入し（ステップＳ１２０７）、リアルタイムメモが挿入された状態の電子化計測結果チャートをディスプレイＤに表示させる（ステップＳ１２０８）。
【００８９】
次に、リアルタイムメモ挿入部０７０９は、ユーザーによりリアルタイムメモの挿入状態の完了の指示があるまで待機する（ステップＳ１２０９）。メモ挿入状態の完了指示があると（ステップＳ１２０９；Ｙｅｓ）、リアルタイムメモの挿入状態から、リアルタイム電子化計測結果チャートの表示状態へ移行し、リアルタイムメモの挿入に関する処理を終了する。これに対し、リアルタイムメモ挿入部０７０９は、ユーザーによりリアルタイムメモの挿入状態の完了指示がなされず、再度リアルタイムメモの入力がなされると（ステップＳ１２０９；Ｎｏ）、上記Ｓ１２０３〜Ｓ１２０８の処理を適宜繰り返す。
【００９０】
上述した構成によれば、計測結果チャート記録装置において計測結果チャート記録装置においてユーザーにとって従来から用いられてきた紙でなるチャートと同じように感覚に働きかける電子化したチャートの出力が可能である。さらに本実施形態によればリアルタイム電子化計測結果チャートにリアルタイムメモを挿入することができ、ユーザーにチャート用紙を利用しているときと同様の操作感を提供することが可能となる。
【００９１】
＜実施形態３＞
＜実施形態３  概要＞
本実施形態３は、実施形態２を基本としつつ、電子化計測結果チャートである電子化計測結果データに対し、事後的な（即時的でない）メモである事後的メモを挿入する事後的メモ挿入部を有する。事後的なとは、電子化計測結果チャートがいったん生成を終了して保存された後にメモを挿入するタイミングを指す。実施形態２の物が設備の稼働とセンサーでの物理量の計測、並びにこれらに基づいた電子化計測結果チャートの描画が即時的、連続的になされている中でされるのに対して本実施形態の物は、電子化計測結果チャートの生成の処理が終わった後に行われる点で異なる。
【００９２】
＜実施形態３  構成＞
図１３に示すように、実施形態３における計測結果チャート記録装置もセンサーＳＥと、計測結果データ取得部１３０１と、電子化計測結果チャート生成部１３０３と、電子化計測結果チャート保持部１３０５と、電子化計測結果チャート出力部１３０７と、事後的メモ挿入部１３０９とを有する。以下では、実施形態１と同様な構成については説明を省略することとし、実施形態３に特徴的な構成である事後的メモ挿入部１３０９を中心に説明する。よって、電子化計測結果チャートが生成され、保持される処理に関しては実施形態１と同様であるため説明を割愛する。
【００９３】
＜実施形態３  構成の説明＞
＜実施形態３  事後的メモ挿入部＞
「事後的メモ挿入部」１３０９は、入力デバイスＩを介して選択された電子化計測結果チャートに、事後的メモを作成して挿入する。事後的メモの作成および挿入について図１４および図１５を参照して一例を説明する。図１４（ａ）は、電子化計測結果チャート保持部１３０５に記憶された電子化計測結果チャートの選択画面である。図１４（ｂ）は、選択中の電子化計測結果チャートの確認画面である。図１５は、事後的メモ挿入のためのユーザーインターフェースの一例を示す概略図である。
【００９４】
＜実施形態３  電子化計測結果チャートの選択画面；補足＞
事後的メモ挿入部１３０９は、ユーザーの操作により事後的メモ挿入のための電子化計測結果チャートの選択画面の表示をする指示がなされると、例えば図１４（ａ）に示すように、電子化計測結果チャートの選択画面が表示される。選択画面におけるリスト１４０１Ｌにおいていずれかが選択されると電子化計測結果チャートの書誌事項が表示され、ユーザーに内容の確認を促す（図１４（ｂ）参照）。より詳しくは以下の通りである。
【００９５】
図１４（ｂ）のチャート内容の確認画面においては、電子化計測結果チャート情報表示領域１４０１と、選択中チャート番号表示領域１４０２と、事後的メモ挿入開始ボタン１４０３とが設けられている。電子化計測結果チャート情報表示領域１４０１には、選択された電子化計測結果チャートにおける付随的なデータ（作成日、チャンネルごとの測定内容等；メタデータ）の内容が適宜選択的に表示される。選択中チャート番号表示領域１４０２は、選択された電子化計測結果チャートのチャート番号やその他、電子化計測結果チャート情報表示領域１４０１に表示されないその他の付随的な情報が表示される領域である。事後的メモ挿入開始ボタン１４０３は、事後的メモ挿入画面への移行をするためのボタンである。ユーザーは、この電子化計測結果チャートの選択画面を参照して、事後的メモを挿入するか確認することができる。
【００９６】
ただし図１４は一例であり、他の構成とすることも可能である。例えば、事後的メモをあらかじめ挿入する予定で電子化計測結果チャートを読み出す場合に限られない。すなわち、ユーザーが電子化計測結果チャートを単に閲覧しているときに事後的メモを挿入したいと考えた場合に応じて、通常の電子化計測結果チャートの閲覧モードのときに事後的メモを挿入可能な状態に移行するボタンが用意されている構成であってもよい。
【００９７】
＜実施形態３  事後的メモ挿入画面＞
ユーザーにより事後的メモ挿入開始ボタン１４０３が押下され、事後的メモの挿入状態への移行操作がなされると、電子化計測結果チャート保持部１３０５から読み出した電子化計測結果チャートに対し、事後的メモを挿入できる状態に移行する。この状態が図１５に示す事後的メモ挿入画面が開かれた状態である。なお、この画面の読み出しや、事後的メモの入力に用いる入力デバイスＩとして各種の入力デバイスを採用することができるのは、実施形態２と同様である。
【００９８】
図１５に示すように、事後的メモ挿入用ユーザーインターフェースにおいては、電子化計測結果チャート表示領域１５０１、事後的メモ入力欄１５０３、事後的メモ表示領域１５０５、スクロールバー１５０６、入力確定ボタン１５０７および消去ボタン１５０８が設けられている。
【００９９】
電子化計測結果チャート表示領域１５０１は、電子化計測結果チャートを表示する領域である。電子化計測結果チャート表示領域１５０１の周囲には事後的メモ入力欄１５０３が設けられている。事後的メモ入力欄１５０３には、入力デバイスＩを介してユーザーが入力した事後的メモが表示される。ここで入力された事後的メモは主メモリに一時的に記憶される。
【０１００】
またユーザーにより入力デバイスＩを介して電子化計測結果チャートのいずれかの位置が指定されると、電子化計測結果チャートに対する事後的メモ表示領域１５０５の表示位置（座標等）が主メモリに一時的に記憶される。事後的メモ表示領域１５０５には、事後的メモ入力欄１５０３に入力され一時的に記憶された内容が表示される。スクロールバー１５０６は、読み出した電子化計測結果チャートの始点から終点までの範囲をスクロールするためのものである。事後的メモは、電子化計測結果チャートが少なくとも所定割合完成した後に挿入するものであるが、スクロールバー１５０６によりメモを挿入しようとする電子化計測結果チャートの位置の指定のため容易にスクロール表示をすることができる。
【０１０１】
入力確定ボタン１５０７は、事後的メモ入力欄１５０３に入力された内容と、事後的メモ表示領域１５０５の位置を決定するためのボタンである。入力確定ボタン１５０７が押下されると、事後的メモ挿入部１３０９は、主メモリに一時的に記憶された事後的メモと表示位置を電子化計測結果チャート生成部１３０３に送る。消去ボタン１５０８は、一旦入力した事後的メモの内容を消去するためのボタンである。なお、事後的メモと表示位置の編集を可能とする構成であってもよい。
【０１０２】
＜実施形態２  変形例＞
なお、ここで挿入されたメモは実施形態２のものも含めて検索対象となってもよい。検索キーワードを所定欄に入力すると、その検索キーワードを含むメモの位置まで電子化計測結果チャートが移動したり、その位置周辺のチャートが表示されると便利である。
【０１０３】
また、実施形態２のものも含めて挿入するメモには定型文が用意されており、定型文の選択画面がメモの挿入に際して呼び出され選択によってメモに含めて挿入されるように構成することも考えられる。またさらにこの定型文は本発明の記録装置に予め準備されているもののほかに、利用者や管理者が定型文を登録することができるように構成することも考えられる。またはこの定型文には識別情報が与えられており、定型文の選択や検索に際して識別情報を利用して選択の簡易化ができるように構成することも可能である。これは定型文が多数にのぼる場合、例えば数十以上の定型文が準備され、直ちに選択しきれないような場合に便利である。また識別情報を記憶している利用者には識別情報を所定の欄に打ち込むことによって直接に挿入される定型文が所定の欄に表示されるように構成することも考えられる。
【０１０４】
また、メモの編集が可能なようにいったん挿入したメモであっても、さらに後に編集可能とすることも考えられる。つまり挿入完了メモ編集部を有するように構成することも考えられる。その場合に例えば編集権限を制限することも考えられる。例えば、予め定められた権限を電子認証可能な社員証などで証明できない者は編集することができないように構成することも考えられる。この編集はネットワークを介した端末から可能なように構成することもできる。例えば実験や作業の現場担当者が挿入したメモを実験責任者や作業責任者のみが編集することができるように設計することが可能である。なお、ここで編集とは、追加、変更、削除等を言う。
【０１０５】
さらに編集やメモ挿入には、テキストのみならず、写真、動画、音声、その他の情報を編集で追加、変更、削除したり、挿入したりすることも便利である。例えば、設備の処理チャンバーなどの映像や、作業構内での計測対象物の写真やビデオが存在する場合にはメモとしてそれらを挿入することができると便利である。また、ビデオのように作業の全体にわたって存在し得るようなものを挿入する場合には、電子化計測結果チャート上に再生指示ポイントを表示してその再生指示ポイントの自動再生ないしは手動による移動につれて再生される場面などが遷移するように構成することも考えられる。
【０１０６】
さらにメモはメモ挿入者識別情報と関連付けて挿入されるように構成してもよい。その場合にはメモ挿入者名や挿入者識別情報が挿入メモに関連付けて表示されるように構成すると便利である。また前述のメモ検索は挿入者別にメモ検索できるように構成することも可能である。例えば、現場管理者のメモ、作業指示者のメモ、作業責任者のメモなどの別で検索したり、これらの挿入者のメモと、その近辺の電子化計測結果チャートを挿入者毎に一覧ないしは送りながら一覧できるように構成してもよい。
【０１０７】
＜実施形態３  電子化計測結果チャートへの事後的メモ挿入＞
電子化計測結果チャート生成部１３０３は、事後的メモ挿入部１３０９は、主メモリに一時的に記憶された事後的メモと表示位置を受け、電子化計測結果チャートにおける表示位置を検索して、電子化計測結果チャートに事後的メモを挿入する。なお、事後的メモの文字サイズや事後的メモ表示領域１５０５のサイズを変更することが可能な構成であってもよい。
【０１０８】
＜実施形態３  ハードウェア構成＞
図１６に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）１６０１や、主メモリ１６０２、システムバスＳＢ、あるいは不揮発性メモリ（ハードディスクドライブや、ＣＤやＤＶＤなどの記憶メディアとそれらメディアの読取ドライブなど）１６０３、任意の入力デバイスＩ、ディスプレイＤ、およびスピーカーＳ、マイクロフォンＭおよび第１プリンターＰＲ１を接続するインターフェースＩ／Ｆを挙げることができる。不揮発性メモリ１６０３には、その他、事後的メモ挿入プログラムおよび事後的メモデータも記憶される。その他は実施形態１と同様である。
【０１０９】
＜実施形態３  動作説明＞
以下、図１７のフローチャートを用いて事後的メモ挿入に関する動作について説明する。
【０１１０】
図１７に示すように、まず、ユーザーの操作に基づき電子化計測結果チャートが選択され（ステップＳ１７０１；図１４参照）、事後的メモ挿入画面（図１５参照）が読み出され、ユーザーにより事後的メモの挿入状態への移行操作がなされると、電子化計測結果チャートに事後的メモを挿入できる状態に移行される（ステップＳ１７０２；Ｙｅｓ）。
【０１１１】
ユーザーにより入力デバイスＩを介して事後的メモを入力可能な状態に移行されると、事後的メモが入力される（ステップＳ１７０３；Ｙｅｓ）。次に事後的メモ挿入部１３０９は、事後的メモ表示領域１５０５（図１５参照）の表示位置の指定を促すメッセージを表示し、位置の指定があるまで待機する（ステップＳ１７０４）。表示位置の指定があると（ステップＳ１７０４；Ｙｅｓ）、事後的メモ挿入部１７０９は、電子化計測結果チャートにおける表示位置の座標等を確定し、主メモリ等に一時的に記憶させる（ステップＳ１７０５）。
【０１１２】
次に事後的メモ挿入部１３０９は、事後的メモの入力確定ボタン１５０７の押下、すなわち事後的メモの入力確定指示があるまで待機する（ステップＳ１７０６）。入力確定指示があると（ステップＳ１７０６；Ｙｅｓ）、電子化計測結果チャート生成部１３０３は、事後的メモ挿入部１３０９において確定された事後的メモと表示位置に基づき、電子化計測結果チャートにおける表示位置を検索して、電子化計測結果チャートに事後的メモを挿入し（ステップＳ１７０７）、事後的メモが挿入された状態の電子化計測結果チャートをディスプレイＤに表示させる（ステップＳ１７０８）。
【０１１３】
次に、事後的メモ挿入部１３０９は、ユーザーにより事後的メモの挿入状態の完了の指示があるまで待機する（ステップＳ１７０９）。メモ挿入状態の完了指示があると（ステップＳ１７０９；Ｙｅｓ）、事後的メモの挿入状態から、電子化計測結果チャートの表示状態へ移行し、事後的メモの挿入に関する処理を終了する。これに対し、事後的メモ挿入部１３０９は、ユーザーにより事後的メモの挿入状態の完了指示がなされず、再度事後的メモの入力がなされると（ステップＳ１７０９；Ｎｏ）、上記Ｓ１７０２〜Ｓ１７０８の処理を適宜繰り返す。
【０１１４】
上述した構成によれば、計測結果チャート記録装置において計測結果チャート記録装置においてユーザーにとって従来から用いられてきた紙でなるチャートと同じように感覚に働きかける電子化したチャートの出力が可能である。さらに本実施形態によれば電子化計測結果チャートに事後的メモを挿入することができ、ユーザーにチャート用紙を利用しているときと同様の操作感を提供することが可能となる。
【０１１５】
＜実施形態４＞
＜実施形態４  概要＞
本実施形態４は、実施形態２と実施形態３とを組み合わせた実施形態を基本としつつ、リアルタイムメモと事後的メモの識別を可能とする識別事後的メモ挿入部を有する。
【０１１６】
＜実施形態４  構成＞
図１８に示すように、実施形態４における計測結果チャート記録装置は、センサーＳＥと、計測結果データ取得部１８０１と、リアルタイム計測結果データ取得手段１８０２と、電子化計測結果チャート生成部１８０３と、電子化計測結果チャート保持部１８０５と、電子化計測結果チャート出力部１８０７と、リアルタイム電子化計測結果チャート出力手段１８０８と、事後的メモ挿入部１８０９と、リアルタイムメモ挿入部１８１１とを有する。以下では、実施形態２，実施形態３と同様な構成については説明を省略することとし、実施形態４に特徴的な構成である識別事後的メモ挿入部１８０９を中心に説明する。よって、電子化計測結果チャートや、リアルタイム電子化計測結果チャートが生成され、保持される処理に関しては実施形態１、実施形態２それぞれと同様であるため説明を割愛する。
【０１１７】
＜実施形態４  構成の説明＞
＜実施形態４  識別事後的メモ挿入部＞
「識別事後的メモ挿入部」１８０９は、入力デバイスＩを介して選択された電子化計測結果チャートに、リアルタイムメモと識別可能な識別事後的メモを作成して挿入する。識別事後的メモの作成および挿入について図１９および図２０を参照して一例を説明する。図１９は、電子化計測結果チャート保持部１８０５に記憶された電子化計測結果チャートの選択画面である。図２０は、識別事後的メモ挿入のためのユーザーインターフェースの一例を示す概略図である。
【０１１８】
＜実施形態４  電子化計測結果チャートの選択画面；補足＞
事後的メモ挿入部１８０９は、実施形態３と同様にユーザーの操作により、例えば図１９に示すような識別事後的メモ挿入のための電子化計測結果チャートの選択画面が表示される。この画面ではスライドバーにおいてチャートを切り替え表示して選択する構成である。より詳しくは以下において図１９を参照して説明する。ただし、実施形態３と同様の電子化計測結果チャートの選択方法であってもよい。
【０１１９】
図１９の画面においては、電子化計測結果チャート情報表示領域１９０１と、選択候補チャート表示領域１９０２、１９０３と、スライドバー表示領域１９０４と、選択中チャート番号表示領域１９０５と、事後的メモ挿入開始ボタン１９０６とが設けられている。  
電子化計測結果チャート情報表示領域１９０１は、現在選択している電子化計測結果チャートの付随的なデータを表示する領域である。選択候補チャート表示領域１９０２、１９０３は、現在選択中の電子化計測結果チャート情報表示領域１９０１における電子化計測結果チャートでなく、他の選択候補があることを示す領域である。スライドバー表示領域１９０４は、選択している電子化計測結果チャートを切り替え表示して、他の電子化計測結果チャートを選択するために操作するスライドバーを示している。その他は、図１４（ｂ）と同様である。
【０１２０】
また、実施形態３と同様に図１９は一例であり、その他、ユーザーが電子化計測結果チャートを単に閲覧しているときに事後的メモを挿入したいと考えた場合に応じて、通常の電子化計測結果チャートの閲覧モードのときに事後的メモを挿入可能な状態に移行するボタンが用意されている構成であってもよい。
【０１２１】
＜実施形態４  事後的メモ挿入画面＞
ユーザーにより識別事後的メモ挿入開始ボタン１９０３が押下され、識別事後的メモの挿入状態への移行操作がなされると、電子化計測結果チャート保持部１８０５から読み出した電子化計測結果チャートに対し、識別事後的メモを挿入できる状態に移行する。この状態が図２０に示す識別事後的メモ挿入画面が開かれた状態である。なお、この画面の読み出しや、識別事後的メモの入力に用いる入力デバイスＩとして各種の入力デバイスを採用することができるのは、実施形態２と同様である。
【０１２２】
図２０に示すように、識別事後的メモ挿入用ユーザーインターフェースにおいては、電子化計測結果チャート表示領域２００１、識別事後的メモ入力欄２００３、リアルタイムメモ表示領域２００４、識別事後的メモ表示領域２００５、スクロールバー２００６、入力確定ボタン２００７および消去ボタン２００８が設けられている。これら各部は実施形態３と同様である。
【０１２３】
入力確定ボタン２００７は、識別事後的メモ入力欄２００３に入力された内容と、識別事後的メモ表示領域２００５の位置を決定するためのボタンである。入力確定ボタン２００７が押下されると、識別事後的メモ挿入部１８０９は、事後的メモをリアルタイムメモと識別するための識別情報を付加した識別事後的メモと、表示位置とを電子化計測結果チャート生成部１８０３に送る。なお、識別事後的メモおよびリアルタイムメモと表示位置の編集を可能とする構成であってもよい。
【０１２４】
＜実施形態４  電子化計測結果チャートへの識別事後的メモ挿入＞
電子化計測結果チャート生成部１８０３は、事後的メモ挿入部１８０９は、主メモリに一時的に記憶された識別事後的メモと表示位置を受け、電子化計測結果チャートにおける表示位置を検索して、電子化計測結果チャートに識別事後的メモを挿入する。ここで、識別事後的メモには、リアルタイムメモと識別するための識別情報が付加されている。電子化計測結果チャート生成部１８０３は、識別事後的メモの識別情報に基づき、リアルタイムメモと識別事後的メモとをユーザーが識別可能となるように挿入する。「識別可能」にする方法としては例えば図示したように各メモに「リアルタイムメモ」、「事後的メモ」という表示をする態様がある。その他、メモを構成する字のフォントを変える、メモの表示領域の背景の色や枠線を変える、一方のメモや枠のみを点滅させる等、任意の表示態様の区別方法を用いることができる。なお、事後的メモの文字サイズや事後的メモ表示領域２００５のサイズを変更することが可能な構成であってもよい。
【０１２５】
＜実施形態４  ハードウェア構成＞
図２１に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）２１０１や、主メモリ２１０２、システムバスＳＢ、あるいは不揮発性メモリ（ハードディスクドライブや、ＣＤやＤＶＤなどの記憶メディアとそれらメディアの読取ドライブなど）２１０３、任意の入力デバイスＩ、ディスプレイＤ、スピーカーＳ、マイクロフォンＭおよび第１プリンターＰＲ１を接続するインターフェースＩ／Ｆを挙げることができる。不揮発性メモリ２１０３には、その他、識別事後的メモ挿入プログラムおよび識別事後的メモデータも記憶される。その他は実施形態２、実施形態３と同様である。
【０１２６】
＜実施形態４  動作説明＞
以下、図２２のフローチャートを用いて事後的メモ挿入に関する動作について説明する。
【０１２７】
図２２に示すように、まず、ユーザーの操作に基づき（図１９参照）、電子化計測結果チャートの選択画面が表示され識別事後的メモを挿入する電子化計測結果チャートが選択される（ステップＳ２２０１）。この選択に応じて識別事後的メモ挿入画面（図２０参照）が読み出され、ユーザーにより識別事後的メモの挿入状態への移行操作（図１９：符号１９０６）がなされると、電子化計測結果チャートに識別事後的メモを挿入できる状態に移行される（ステップＳ２２０２；Ｙｅｓ）。
【０１２８】
ユーザーにより入力デバイスＩを介して識別事後的メモを入力可能な状態に移行されると、識別事後的メモが入力される（ステップＳ２２０３；Ｙｅｓ）。次に識別事後的メモ挿入部１８０９は、識別事後的メモ表示領域２００５（図２０参照）の表示位置の指定を促すメッセージを表示し、位置の指定があるまで待機する（ステップＳ２２０４；Ｎｏ）。メモの挿入位置の指定があると（ステップＳ２２０４；Ｙｅｓ）、識別事後的メモ挿入部１８０９は、電子化計測結果チャートにおける表示位置の座標等を確定し、主メモリ等に一時的に記憶させる（ステップＳ２２０５）。
【０１２９】
次に識別事後的メモ挿入部１８０９は、識別事後的メモの入力確定ボタン２００７の押下、すなわち識別事後的メモの入力確定指示があるまで待機する（ステップＳ２２０６；Ｎｏ）。入力確定指示があると（ステップＳ２２０６；Ｙｅｓ）、電子化計測結果チャート生成部１８０３は、識別事後的メモ挿入部１８０９において確定された識別事後的メモと挿入位置（表示位置）に基づき、電子化計測結果チャートにおける挿入位置を検索して、電子化計測結果チャートに識別事後的メモを付加、挿入し、保存する（ステップＳ２２０７）。次に電子化計測結果チャート生成部１８０３は、識別事後的メモが挿入された状態の電子化計測結果チャートをディスプレイＤに表示させる（ステップＳ２２０８）。
【０１３０】
次に、識別事後的メモ挿入部１８０９は、ユーザーにより識別事後的メモの挿入状態の完了の指示があるまで待機する（ステップＳ２２０９）。メモ挿入状態の完了指示があると（ステップＳ２２０９；Ｙｅｓ）、識別事後的メモの挿入状態から、電子化計測結果チャートの表示状態へ移行し、識別事後的メモの挿入に関する処理を終了する。これに対し、識別事後的メモ挿入部１８０９は、ユーザーにより識別事後的メモの挿入状態の完了指示がなされず、再度識別事後的メモの入力がなされると（ステップＳ２２０９；Ｎｏ）、上記Ｓ２２０２〜Ｓ２２０８の処理を適宜繰り返す。
【０１３１】
上述した構成によれば、計測結果チャート記録装置において計測結果チャート記録装置においてユーザーにとって従来から用いられてきた紙でなるチャートと同じように感覚に働きかける電子化したチャートの出力が可能である。さらに本実施形態によれば電子化計測結果チャートに識別事後的メモを挿入することができ、ユーザーにチャート用紙を利用しているときと同様の操作感を提供することが可能となる。また事後的メモをリアルタイムメモと識別可能に構成されているため、電子化計測結果チャート上に示されたメモが、リアルタイムに入力されたものか、事後的に入力されたものかの識別も可能となる。
【０１３２】
＜実施形態５＞
＜実施形態５  概要＞
本実施形態５は、実施形態１を基本としつつ、電子化計測結果チャート出力部は、プリンターから電子化計測結果チャートを出力する第一プリンター出力手段を有する。
【０１３３】
＜実施形態５  構成＞
図２３に示すように、実施形態５における計測結果チャート記録装置は、センサＳＥと、計測結果データ取得部２３０１と、電子化計測結果チャート生成部２３０３と、電子化計測結果チャート保持部２３０５と、電子化計測結果チャート出力部２３０７と、第一プリンター出力手段２３０８とを有する。以下では、実施形態１と同様な構成については説明を省略することとし、実施形態５に特徴的な構成である第一プリンター出力手段２３０８を中心に説明する。よって、電子化計測結果チャートや、リアルタイム電子化計測結果チャートが生成され、保持される処理に関しては実施形態１、実施形態２それぞれと同様であるため説明を割愛する。
【０１３４】
＜実施形態５  構成の説明＞
＜実施形態５  第一プリンター出力手段＞
「第一プリンター出力手段」２３０８は、電子化計測結果チャート保持部２３０５に保持された電子化計測結果チャート、またはリアルタイム電子化計測結果チャートをそのままの状態で外部(もしくは内蔵された)の印刷デバイス(例えば第１プリンターＰＲ１)に出力する。第一プリンター出力手段２３０８により第１プリンターＰＲ１で印刷をするときの処理について図２４および図２５を参照して一例を説明する。図２４は、印刷対象となる電子化計測結果チャートの選択画面である。図２５は、印刷された電子化計測結果チャートの一例を示す概略図である。
【０１３５】
第一プリンター出力手段２３０８は、電子化計測結果チャートの全体を出力する機能の他に、時間軸を限定して一枚の電子化計測結果チャートの部分を出力するように構成してもよい。さらに電子化計測結果チャートの計測結果が所定の条件を満たす部分についてのみ出力するように構成することもできる。所定の条件とは「温度、湿度、気圧、組成ガスの濃度、組成液体の濃度、照度、流速、電流、電圧、電磁界、電界、磁界、放射線強度、紫外線強度、赤外線強度、振動、騒音、透明度、輝度、粘度、等」の測定値が所定の範囲であるような場合、あるいはこれらの複数の物理量の関係が所定の関係を満たす場合などを挙げることができる。物理量の関係が所定の関係を満たす場合とは例えば測定された温度に所定の係数を乗算した結果が測定された圧力よりも大きくなるなどの関係をいう。これらの条件設定のインターフェースが第一プリンター出力手段２３０８に備えられていてもよい。なお、本実施形態で出力する対象は罫線が入れられていないチャート用紙に出力する場合である。さらに、罫線が入れられていないチャート用紙でなく、Ａ４、Ａ３、Ｂ４，Ｂ５などの定型の紙に出力するように構成してもよい。この場合にはどの紙がどの紙の続きであるか判別できるように続き番号などを別途余白に印刷するように構成することが好ましい。
【０１３６】
＜実施形態５  電子化計測結果チャートの選択画面；補足＞
第一プリンター出力手段２３０８は、ユーザーの操作により、例えば図２４に示すような印刷のための電子化計測結果チャートの選択画面が表示される。この選択方法および画面構成については、実施形態４と同様であるため説明を割愛する。ただし、実施形態３と同様の電子化計測結果チャートの選択方法であってもよい。
【０１３７】
また、図２４は一例であり、その他、ユーザーが電子化計測結果チャートを単に閲覧しているときに印刷したいと考えた場合に応じて、通常の電子化計測結果チャートの閲覧モードのときに印刷可能な状態に移行するボタンが用意されている構成であってもよい。
【０１３８】
＜実施形態５  印刷された電子化計測結果チャート＞
図２５に示すように第１プリンターＰＲ１は、いわゆる従来の罫線つきのチャート用紙でなく、通常のコピー用紙のようなチャート用紙でない紙に印刷をする印刷デバイスであるため、本実施形態の電子化計測結果チャートをそのまま出力することにより、従来のチャート用紙のように印刷をすることができる。
【０１３９】
＜実施形態５  ハードウェア構成＞
図２６に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）２６０１や、主メモリ２６０２、システムバスＳＢ、あるいは不揮発性メモリ（ハードディスクドライブや、ＣＤやＤＶＤなどの記憶メディアとそれらメディアの読取ドライブなど）２６０３、任意の入力デバイスＩ、ディスプレイＤ、スピーカーＳ、マイクロフォンＭおよび第１プリンターＰＲ１を接続するインターフェースＩ／Ｆを挙げることができる。不揮発性メモリ２６０３には、その他、第一プリンター出力サブプログラムも記憶される。その他は実施形態１と同様である。
【０１４０】
＜実施形態５  動作説明＞
以下、図２７のフローチャートを用いて印刷に関する動作について説明する。
【０１４１】
図２７に示すように、まず、ユーザーの操作に基づき（図２４参照）、電子化計測結果チャートの選択画面が表示され、印刷しようとする電子化計測結果チャートが選択される（ステップＳ２７０１）。選択の後、第一プリンター出力手段２３０８は、印刷開始の指示がされるまで待機する（ステップＳ２７０２；Ｎｏ）。印刷開始の指示がされると（ステップＳ２７０２；Ｙｅｓ）、プリンターの選択画面（図示せず)が表示され、ユーザーによりプリンターが選択される（ステップＳ２７０３）。
【０１４２】
プリンターが選択され、決定されると、その選択したプリンターの設定選択画面（図示せず)が表示され、ユーザーにより適宜設定変更が実行される（ステップＳ２７０４）。
ユーザーによりプリンターの設定が決定され、ユーザーの操作により印刷実行指示が行われる（ステップＳ２７０５）。この印刷実行指示により選択されたプリンター、例えば第１プリンターＰＲ１により、図２５に示すような計測結果チャートが印刷される（ステップＳ２７０６）。
【０１４３】
上述した構成によれば、計測結果チャート記録装置において計測結果チャート記録装置においてユーザーにとって従来から用いられてきた紙でなるチャートと同じように感覚に働きかける電子化したチャートの出力が可能である。さらに本実施形態によればチャート用紙のような罫線等が印刷されていない用紙に電子化計測結果チャートを印刷し、ユーザーにチャート用紙を利用しているときと同様の外観を提供することが可能となる。
【０１４４】
＜実施形態６＞
＜実施形態６  概要＞
本実施形態６は、実施形態１を基本としつつ、電子化計測結果チャート出力部は、プリンターから電子化計測結果チャートでなく罫線を出力しない形態で計測結果データを罫線のついた紙のチャート用紙に出力するためのチャート用紙出力手段を有する。
【０１４５】
＜実施形態６  構成＞
図２８に示すように、実施形態６における計測結果チャート記録装置は、センサＳＥと、計測結果データ取得部２８０１と、電子化計測結果チャート生成部２８０３と、電子化計測結果チャート保持部２８０５と、電子化計測結果チャート出力部２８０７と、チャート用紙出力手段２８０８とを有する。以下では、実施形態１と同様な構成については説明を省略することとし、実施形態６に特徴的な構成であるチャート用紙出力手段２８０８を中心に説明する。よって、電子化計測結果チャートや、リアルタイム電子化計測結果チャートが生成され、保持される処理に関しては実施形態１、実施形態２それぞれと同様であるため説明を割愛する。
【０１４６】
＜実施形態６  構成の説明＞
＜実施形態６  チャート用紙出力手段＞
「チャート用紙出力手段」２８０８は、実施形態５と異なり、電子化計測結果チャートでなく、計測結果データ(波形データ、場合によりスケール情報等)を印刷デバイス(例えば第２プリンターＰＲ２)に出力する。チャート用紙出力手段２８０８により第２プリンターＰＲ２で印刷をするときの処理について図２９〜図３１を参照して一例を説明する。図２９は、印刷対象となる電子化計測結果チャートの選択画面である。図３０は、印刷前のチャート用紙を示し、図３１はチャート用紙に印刷された電子化計測結果チャートの一例を示す概略図である。なお、実施形態６では、チャート用紙に計測結果データ等を出力するため、内部処理としては計測結果データの印刷（第２プリンターＰＲ２への出力）となるが、ユーザーとしては印刷された結果物として電子化計測結果チャートがプリントアウトされたものを得るという感覚で印刷関連の操作を行うため、ユーザーインターフェース（印刷チャート選択用の画面）は、「電子化計測結果チャート」の選択をするように構成されている。
【０１４７】
＜実施形態６  電子化計測結果チャートの選択画面；補足＞
チャート用紙出力手段２８０８は、ユーザーの操作により、例えば図２９に示すような印刷のための電子化計測結果チャートの選択画面が表示される。この選択方法および画面構成については、実施形態５と同様であるため説明を割愛する。ただし、実施形態３と同様の電子化計測結果チャートの選択方法であってもよい。
【０１４８】
また、図２９は一例であり、その他、ユーザーが電子化計測結果チャートを単に閲覧しているときに印刷したいと考えた場合に応じて、通常の電子化計測結果チャートの閲覧モードのときに印刷可能な状態に移行するボタンが用意されている構成であってもよい。
【０１４９】
＜実施形態６  印刷された計測結果＞
実施形態６では、いわゆる従来の罫線つきのチャート用紙（図３０参照）に電子化計測結果チャートを印刷する。したがって、チャート用紙出力手段２８０８は、電子化計測結果チャート保持手段２８０５に保持された電子化計測結果チャートにおける「計測結果データ」すなわちチャート用紙を模した部分、例えば罫線、目盛の数値表示および左右両端の端線等を電子化計測結果チャートから除去し(言い換えると波形部分や、メモ、スケール表示を抽出して)、第２プリンターＰＲ２に出力する。なお、スケールとは、予め罫線を備えたチャートの単位目盛（罫線と罫線間の物理量、時間長）の値を示すための情報をいう。
【０１５０】
第２プリンターＰＲ２には、予め罫線の入った従来のチャート用紙が備えられている。この場合に、第２プリンターＰＲ２に備えられているチャート用紙の罫線がどのように配されているかは、チャート用紙出力手段２８０８に設定されている。具体的には、電子化計測結果チャート生成部２８０３で生成されている罫線と、紙チャートに予め印刷されている罫線とを合致させる必要がある。具体的には物理メモリを示す罫線の下限値と上限値が両者で一致する必要がある。そのために第２プリンターで計測結果を印刷する場合には、前記チャート紙の上限値と下限値が電子化計測結果チャートの物理メモリの上限値と下限値の範囲となるように（いわゆる一般の複写機で言う場合には用紙に合わせて印刷という命令に類似）第２プリンターＰＲ２を制御するように構成する。本実施形態において、印刷された電子化計測結果チャートは、図３１に示すように従来のチャート用紙のように印刷されたものと同様に閲覧することが可能である。
【０１５１】
＜実施形態６  ハードウェア構成＞
図３２に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）３２０１や、主メモリ３２０２、システムバスＳＢ、あるいは不揮発性メモリ（ハードディスクドライブや、ＣＤやＤＶＤなどの記憶メディアとそれらメディアの読取ドライブなど）３２０３、任意の入力デバイスＩ、ディスプレイＤ、スピーカーＳ、マイクロフォンＭおよび第２プリンターＰＲ２を接続するインターフェースＩ／Ｆを挙げることができる。不揮発性メモリ３２０３には、その他、チャート用紙出力サブプログラムも記憶される。その他は実施形態１と同様である。
【０１５２】
＜実施形態６  動作説明＞
以下、図３３のフローチャートを用いてチャート用紙への印刷に関する動作について説明する。
【０１５３】
図３３に示すように、まず、ユーザーの操作に基づき（図２９参照）、電子化計測結果チャートの選択画面が表示され、印刷しようとする電子化計測結果チャートが選択される（ステップＳ３３０１）。選択の後、チャート用紙出力手段２８０８は、印刷開始の指示がされるまで待機する（ステップＳ３３０２；Ｎｏ）。印刷開始の指示がされると（ステップＳ３３０２；Ｙｅｓ）、チャート用紙出力手段２８０８は、電子化計測結果チャートからチャート用紙を模した部分、例えば罫線、目盛の数値表示、左右両端の端線等を除去する（ステップＳ３３０３）。次にプリンターの選択画面（図示せず)が表示され、ユーザーによりプリンターが選択される（ステップＳ３３０４）。
【０１５４】
プリンターが選択され、決定されると、その選択したプリンターの設定選択画面（図示せず)が表示され、ユーザーにより適宜設定変更が実行される（ステップＳ３３０５）。
ユーザーによりプリンターの設定が決定され、ユーザーの操作により印刷実行指示が行われる（ステップＳ３３０６）。この印刷実行指示により例えば第２プリンターＰＲ２により、図３１に示すような電子化計測結果チャートが印刷される（ステップＳ３３０７）。なお、本実施形態においては、プリンターの設定（Ｓ３３０５）において、設定されているチャート用紙をプレビュー表示しつつ、チャート用紙の選択を促すように構成されていてもよい。この場合、チャート用紙の選択が可能なユーザーインターフェースがチャート用紙出力手段２８０８に含まれる。
【０１５５】
上述した構成によれば、計測結果チャート記録装置において計測結果チャート記録装置においてユーザーにとって従来から用いられてきた紙でなるチャートと同じように感覚に働きかける電子化したチャートの出力が可能である。さらに本実施形態によれば、従来通りのチャート用紙に印刷された計測結果チャートが必要になった場合にも対応することが可能となる。
【０１５６】
＜実施形態７＞
＜実施形態７  概要＞
本実施形態７は、実施形態１を基本としつつ、電子化計測結果チャート生成部は、ファイル処理単位情報取得手段が取得した計測結果データのファイル処理単位情報に基づいて、電子計測結果チャートの終了位置、又は開始位置を示す区切りを電子化計測結果チャート上に生成する区切生成手段を有する。
【０１５７】
＜実施形態７  構成＞
図３４に示すように、実施形態７における計測結果チャート記録装置は、センサーＳＥと、計測結果データ取得部３４０１と、ファイル処理単位情報取得手段３４０２と、電子化計測結果チャート生成部３４０３と、区切生成手段３４０４と、電子化計測結果チャート保持部３４０５と、電子化計測結果チャート出力部３４０７とを有する。以下では、実施形態１と同様な構成については説明を省略することとし、実施形態７に特徴的な構成であるファイル処理単位情報取得手段３４０２および区切り生成手段３４０４を中心に説明する。よって、電子化計測結果チャートや、リアルタイム電子化計測結果チャートが生成され、保持される処理に関しては実施形態１、実施形態２それぞれと同様であるため説明を割愛する。
【０１５８】
＜実施形態７  構成の説明＞
＜実施形態７  ファイル処理単位情報取得手段＞
「ファイル処理単位情報取得手段」３４０２は、所定のファイル処理単位を示すファイル処理単位情報を取得する。ファイル処理単位とは、所定の条件により電子化計測結果チャートにおける始点と終点を定めた場合における、始点から終点までの１単位分を示す。
電子化計測結果チャートは長尺の連続的な波形のデータであるが、この波形（物理量）の変化は、計測、観察する対象（加熱炉等）における稼働状況によって起こる場合がある。つまり、計測対象の物理量の変化は、不定期かつ無作為な条件による場合もあるが、加熱炉の熱処理ロットのように処理スケジュールが決まっているか、または不定期であっても物理量の制御（温度制御等）をしている場合には、計測結果チャート記録装置による計測がその稼働状況に合わせて実行されることが望ましい。言い換えれば計測対象の稼働中は計測を実行し、非稼働時には計測が不要である場合もある。本実施形態７では、計測対象の稼働状況に対応させる等の目的により、電子化計測結果チャートをファイル処理単位で取り扱うことを可能とする。
【０１５９】
なお、上記の計測対象とは、設備等の所定領域（例えば加熱炉内）や、計測対象となる物品（例えば金型）である。また計測結果チャート記録装置による計測対象に対する処理（加工処理等：例えば熱処理）の種別や態様は多様であるが、本実施形態の説明においては、加熱炉の熱処理ロットの１ロット分に合わせて、電子化計測結果チャートのファイル処理単位が定まる場合について説明する。
【０１６０】
＜実施形態７  ファイル処理単位情報＿第１の例；時間情報１＞
ファイル処理単位情報の第１の例として、ファイル処理単位情報を、センサーＳＥが配置される処理実施設備（加熱炉等）あるいは処理対象物の加工機械から取得される時間情報とすることができる。加熱炉による熱処理ロットの場合であれば、加熱炉において温度制御のスケジュールが定まっているため、電子化計測結果チャートをそのスケジュールに合わせて作成する。具体例としては、加熱炉の熱処理開始時間と熱処理終了時間を、そのままファイル処理単位情報とする。したがって、ファイル処理単位情報取得手段３４０２は、外部装置から通信インターフェース等を介してファイル処理単位情報として熱処理ロットにおける熱処理開始時間と熱処理終了時間を取得し、記憶装置（例えば不揮発メモリ３７０３あるいは主メモリ３７０２）に記憶させる。
【０１６１】
＜実施形態７  ファイル処理単位情報＿第２の例；時間情報２＞
ただし、ファイル処理単位情報は熱処理ロットの１処理分の所要時間を示す情報であってもよい。この場合、電子化計測結果チャートの生成開始はユーザーによる指示に基づき、電子化計測結果チャートの生成終了は、ファイル処理単位情報としての所要時間の経過による。
【０１６２】
＜実施形態７  ファイル処理単位情報＿第３の例；時間情報３＞
ファイル処理単位情報は、外部装置（加熱炉等）からの情報に基づかず、ユーザーが設定する情報であってもよい。ファイル処理単位情報をユーザーが設定する構成の場合のユーザーインターフェースの一例を図３５に基づき、説明する。図３５に示すように、ファイル処理単位情報入力設定画面においては、日付表示領域３５０１、ファイル処理単位情報リスト３５０３、決定ボタン３５０５およびリセットボタン３５０７が設けられている。
【０１６３】
電子化計測結果チャートの設定画面において、ファイル処理単位情報リスト３５０３は、
ファイル処理単位情報の始点と終点に関する情報を一覧表示し、それら情報を設定変更するためのリストである。ファイル処理単位情報リスト３５０３においては、ファイル処理単位ごとの「１．ファイル処理単位開始時間」と「２．ファイル処理単位終了時間」の設定値が表示されている。ファイル処理単位開始時間は、予定されている電子化計測結果チャートの作成開始時間である。ファイル処理単位終了時間は、電子化計測結果チャートの作成終了時間である。
【０１６４】
これらの設定項目については、加熱炉等の熱処理ロットの情報を取得し、それを参照値として、ファイル処理単位情報リスト３５０３の対応する箇所に表示する構成でもよい。あるいは、ファイル処理単位情報リスト３５０３が表示され、ユーザーが設定するまではリストの設定値の表示欄を空欄あるいは「−」等の未設定であることを示す表示をする構成であってもよい。
【０１６５】
ファイル処理単位開始時間の表示欄の右にある「１．変更」の表示欄にはファイル処理単位開始時間を変更するためのボタン「▼」が表示されている。「▼」が入力デバイスＩを介して選択されると、ファイル処理単位情報取得手段３４０２が、開始時間の設定変更の入力可能な状態に移行する。ファイル処理単位終了時間の表示欄の右にある「２．変更」も同様である。決定ボタン３５０５は、ファイル処理単位情報リスト３５０３における設定を完了するためのボタンの表示領域である。入力デバイスＩを介して決定ボタン３５０５が選択されると、ファイル処理単位情報リスト３５０３の表示に基づいて、ファイル処理単位開始時間と終了時間、つまり電子化計測結果チャートの作成開始時間と終了時間が不揮発メモリあるいは主メモリ等の記憶装置に記憶される。リセットボタン３５０７は、一度設定した各種設定値を消去する（あるいは参照値に戻す）ためのボタンの表示領域である。
【０１６６】
＜実施形態７  ファイル処理単位情報＿第４の例；目盛長＞
ファイル処理単位情報の第４の例として、電子化チャートの目盛等に基づく、時間軸方向の長さであってもよい。電子化計測結果チャートは長尺となる場合があり、ディスプレイで閲覧するとしても長すぎると閲覧がしにくくなる場合もある。したがって、実際の電子化計測結果チャートの作成時間やチャートスピード（時間軸スケールにおける１目盛分の単位時間）に関わらず、目盛の数に応じてファイル処理単位の終点、すなわち電子化計測結果チャートの長さをあらかじめ決めておく構成であってもよい。
【０１６７】
＜実施形態７  区切生成手段＞
「区切生成手段」３４０４は、ユーザーの操作により、例えば図３６に示すように電子化計測結果チャートに、ユーザーが視認可能な「区切」３６０３を挿入する。例えば、区切生成手段３４０４は、１つの電子化計測結果チャートにおいて、不揮発メモリ等から読み出したファイル処理単位情報に基づき、始点、終点の少なくともいずれか一方をユーザーに認識させるために、区切を挿入する。区切は、図３６に示すように空白であってもよく、また図形、記号、線分等であってもよい。また区切の挿入は、電子化計測結果チャートが生成されてから始点の前、あるいは終点の後に上書きする構成でもよく、あるいは電子化計測結果チャートの始点の前に所定の空白ができるように波形の作成を開始する構成であってもよい。
【０１６８】
＜実施形態７  ハードウェア構成＞
図３７に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）３７０１や、主メモリ３７０２、システムバスＳＢ、あるいは不揮発性メモリ（ハードディスクドライブや、ＣＤやＤＶＤなどの記憶メディアとそれらメディアの読取ドライブなど）３７０３、任意の入力デバイスＩ、ディスプレイＤ、スピーカーＳ、マイクロフォンＭおよび第１プリンターＰＲ１を接続するインターフェースＩ／Ｆを挙げることができる。不揮発性メモリ３７０３には、その他、ファイル処理単位情報取得サブプログラム、区切生成サブプログラム、ファイル処理単位情報および区切情報も記憶される。その他は実施形態１と同様である。
【０１６９】
＜実施形態７  動作説明＞
以下、図３８のフローチャートを用いて区切の挿入に関する動作について説明する。
【０１７０】
ファイル処理単位情報取得手段３４０２は、外部装置から取得した稼働状況の情報またはユーザーが入力した情報に基づき、ファイル処理単位情報を取得する（ステップＳ３８０１）。ファイル処理単位情報におけるファイル処理単位開始時間に応じてか、あるいは任意のタイミングで電子化計測結果チャートが作成される（ステップＳ３８０２）。区切生成手段３４０４は電子化計測結果チャートの作成が終了したか判断する（ステップＳ３８０３）。電子化計測結果チャートの作成が終了したと判断されると（ステップＳ３８０３；Ｙｅｓ）、区切生成手段３４０４は、ファイル処理単位情報におけるファイル処理単位終了時間に応じてか、あるいは任意のタイミングで区切を挿入する（ステップＳ３８０４）。
【０１７１】
上述した構成によれば、計測結果チャート記録装置において計測結果チャート記録装置においてユーザーにとって従来から用いられてきた紙でなるチャートと同じように感覚に働きかける電子化したチャートの出力が可能である。さらに本実施形態によれば電子化計測結果チャートに対し、チャートを視覚的に切り分ける区切を挿入することができる。このような構成によれば、区切を境界として電子化計測結果チャートが分かれていることが一見して把握でき、熱処理ロットごと等の何らかの理由でチャートが分かれていることをユーザーに視認させることが可能となる。例えば熱処理ロットごとにチャートを分割している旨のメモを挿入する等して、チャートの区切の意義を把握させることも可能である。
【０１７２】
＜実施形態８＞
＜実施形態８  概要＞
本実施形態８は、実施形態７を基本としつつ、電子化計測結果チャート保持部は、取得されたファイル処理単位情報に基づいて示される単位にてファイルを保持するファイル単位保持手段を有する。
【０１７３】
＜実施形態８  構成＞
図３９に示すように、実施形態８における計測結果チャート記録装置は、センサーＳＥと、計測結果データ取得部３９０１と、ファイル処理単位情報取得手段３９０２と、電子化計測結果チャート生成部３９０３と、区切生成手段３９０４と、電子化計測結果チャート保持部３９０５と、ファイル単位保持手段３９０６と、電子化計測結果チャート出力部３９０７とを有する。以下では、実施形態１、実施形態７と同様な構成については説明を省略することとし、実施形態８に特徴的な構成であるファイル処理単位情報取得手段３９０２および区切り生成手段３９０４を中心に説明する。よって、電子化計測結果チャートや、リアルタイム電子化計測結果チャートが生成され、保持される処理に関しては実施形態１、実施形態２それぞれと同様であるため説明を割愛する。またファイル処理単位情報取得手段、区切生成手段、およびファイル処理単位や区切については実施形態７と同様であるため説明を割愛する。
【０１７４】
＜実施形態８  構成の説明＞
＜実施形態８  ファイル単位保持手段＞
「ファイル単位保持手段」３９０６は、１つの電子化計測結果チャートにおける区切によって区切られている前後のチャートについてそれぞれ個別の電子化計測結果チャートとして分割してデータを管理することを可能とする。すなわち、ファイル単位保持手段３９０６は、図示しないユーザーインターフェースにおけるユーザーの指定操作により、選択中の１の電子化計測結果チャートについて、少なくとも１の区切が含まれている場合、その区切を境界として複数の電子化計測結果チャートにデータを分割する。電子化計測結果チャートは長尺となる場合があり、ディスプレイで閲覧するとしても長すぎると閲覧がしにくくなる場合もある。したがって、ファイル単位保持手段３９０６により、任意に１の電子化計測結果チャートを２以上の電子化計測結果チャートのファイルに分割することによりユーザーが閲覧しやすいようにすることが可能である。
【０１７５】
＜実施形態８  分割ファイル表示画面＞
電子化計測結果チャートが分割されると、例えば図４０に示すように複数ファイルとして電子化計測結果チャートを取り扱うことが可能となる。
【０１７６】
＜実施形態８  ハードウェア構成＞
図４１に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）４１０１や、主メモリ４１０２、システムバスＳＢ、あるいは不揮発性メモリ（ハードディスクドライブや、ＣＤやＤＶＤなどの記憶メディアとそれらメディアの読取ドライブなど）４１０３、任意の入力デバイスＩ、ディスプレイＤ、スピーカーＳ、マイクロフォンＭおよび第１プリンターＰＲ１を接続するインターフェースＩ／Ｆを挙げることができる。不揮発性メモリ４１０３には、その他、ファイル処理単位情報取得サブプログラム、区切生成サブプログラム、ファイル処理単位情報、区切情報および分割された電子化計測結果チャートのファイルも記憶される。その他は実施形態１と同様である。
【０１７７】
＜実施形態８  動作説明＞
以下、図４２のフローチャートを用いて区切の挿入に関する動作について説明する。
【０１７８】
ファイル処理単位情報取得手段３９０２は、外部装置から取得した稼働状況の情報またはユーザーが入力した情報に基づき、ファイル処理単位情報を取得する（ステップＳ４２０１）。ファイル処理単位情報におけるファイル処理単位開始時間に応じて、あるいは任意のタイミングで電子化計測結果チャートの作成が開始される（ステップＳ４２０２）。ファイル単位保持手段３９０６はユーザーの指示により作成された電子化計測結果チャートを分割して複数ファイルを作成する（ステップＳ４２０３）。ファイル単位保持手段３９０６は分割された電子化計測結果チャートの複数ファイルを保存する（ステップＳ４２０４）。
【０１７９】
上述した構成によれば、計測結果チャート記録装置において計測結果チャート記録装置においてユーザーにとって従来から用いられてきた紙でなるチャートと同じように感覚に働きかける電子化したチャートの出力が可能である。さらにユーザーが任意に１の電子化計測結果チャートを２以上の電子化計測結果チャートのファイルに分割することによりユーザーが閲覧しやすいようにすることが可能である。
【０１８０】
＜実施形態９＞
＜実施形態９  概要＞
本実施形態９は、実施形態７、実施形態８を基本としつつ、ファイル処理単位情報取得手段を制御する計測開始・終了指示入力部をさらに有する。
【０１８１】
＜実施形態９  構成＞
図４３に示すように、実施形態９における計測結果チャート記録装置は、センサーＳＥと、計測結果データ取得部４３０１と、ファイル処理単位情報取得手段４３０２と、電子化計測結果チャート生成部４３０３と、区切生成手段４３０４と、電子化計測結果チャート保持部４３０５と、ファイル単位保持手段４３０６と、電子化計測結果チャート出力部４３０７と、計測開始・終了指示入力部４３０９を有する。以下では、実施形態１、実施形態７、実施形態８と同様な構成については説明を省略することとし、実施形態９に特徴的な構成である計測開始・終了指示入力部４３０９を中心に説明する。よって、電子化計測結果チャートや、リアルタイム電子化計測結果チャートが生成され、保持される処理に関しては実施形態１、実施形態２それぞれと同様であるため説明を割愛する。またファイル処理単位情報取得手段、区切生成手段、ファイル単位保持手段およびファイル処理単位や区切については実施形態７、実施形態８と同様であるため説明を割愛する。
【０１８２】
＜実施形態９  構成の説明＞
＜実施形態９  計測開始・終了指示入力部＞
「計測開始・終了指示入力部」４３０９は、計測結果または計測結果データの取得を開始する開始トリガーと、計測結果または計測結果データの取得を終了する終了トリガーを計測結果データ取得部４３０１に出力する。これにより、電子化計測結果チャートの基となる計測結果データの取得が制御されることになり、電子化計測結果チャート始点および終点の情報が、計測結果データ取得部４３０１の出力と同期する。つまり計測開始・終了指示入力部４３０９が出力する開始トリガーと終了する終了トリガーにより実質的にファイル処理単位情報取得手段４３０２が制御されることになる。
【０１８３】
＜実施形態９  計測・ファイル作成開始／計測・ファイル作成終了画面＞
ユーザーの操作により、図４４に示されるような計測・ファイル作成開始／計測・ファイル作成終了画面が読み出されると、計測結果チャート記録装置における計測および電子化計測結果チャートの作成を開始可能な状況に移行する。例えば図４４に示すように、計測・ファイル作成開始／計測・ファイル作成終了画面においては、計測・ファイル作成開始ボタン４４０１と、計測・ファイル作成終了ボタン４４０３が設けられている。入力デバイスＩを介してユーザーにより、計測・ファイル作成開始ボタン４４０１が押下されると、計測開始・終了指示入力部４３０９が開始トリガーを計測結果データ取得部４３０１に出力する。開始トリガーを受けて計測結果データ取得部４３０１は、計測結果の取得および計測結果データの取得を開始する。同様に計測・ファイル作成終了ボタン４４０３が押下されると、計測結果の取得および計測結果データの取得を終了する。また、計測・ファイル作成開始ボタン４４０１と、計測・ファイル作成終了ボタン４４０３とは、電子化計測結果チャートのファイル作成の開始と終了とをそれぞれ兼ねている。
【０１８４】
＜実施形態９  ハードウェア構成＞
図４５に示すように、上記した本装置の機能ブロック図における各機能ブロックは、ハードウェア及びソフトウェアの組み合わせとして実現され得る。具体的には、コンピュータを利用するものであれば、ＣＰＵ（中央演算装置）４５０１や、主メモリ４５０２、システムバスＳＢ、あるいは不揮発性メモリ（ハードディスクドライブや、ＣＤやＤＶＤなどの記憶メディアとそれらメディアの読取ドライブなど）４５０３、任意の入力デバイスＩ、ディスプレイＤ、スピーカーＳ、マイクロフォンＭおよび第１プリンターＰＲ１を接続するインターフェースＩ／Ｆを挙げることができる。不揮発性メモリ４５０３には、その他、計測開始・終了指示入力プログラムも記憶される。その他は実施形態７、実施形態８と同様である。
【０１８５】
＜実施形態９  動作説明＞
以下、図４６のフローチャートを用いて測定の開始、終了に関する動作について説明する。
【０１８６】
ユーザーの操作により、計測・ファイル作成開始／計測・ファイル作成終了画面が読み出され、計測開始可能な状況に移行する（ステップＳ４６０１）。計測開始・終了指示入力部４３０９は、計測・ファイル作成開始ボタン４４０１の押下があったか判断する（ステップＳ４６０２）。計測・ファイル作成開始ボタン４４０１の押下により（ステップＳ４６０２；Ｙｅｓ）、計測開始・終了指示入力部４３０９が開始トリガーを計測結果データ取得部４３０１に出力し、計測結果データ取得部４３０１は、計測結果の取得および計測結果データの取得を開始する（ステップＳ４６０３）。
【０１８７】
計測開始・終了指示入力部４３０９は、計測・ファイル作成終了ボタン４４０３が押下されたか判断する（ステップＳ４６０４）。計測・ファイル作成終了ボタン４４０３が押下されると（ステップＳ４６０４；Ｙｅｓ）、計測結果の取得および計測結果データの取得が終了される（ステップＳ４６０５）。
【０１８８】
上述した構成によれば、計測結果チャート記録装置において計測結果チャート記録装置においてユーザーにとって従来から用いられてきた紙でなるチャートと同じように感覚に働きかける電子化したチャートの出力が可能である。
【符号の説明】
【０１８９】
0101，0701，1301，1801，2301，2801，3401，3901，4301：計測結果データ取得部
0103，0703，1303，1803，2303，2803，3403，3903，4303：電子化計測結果チャート生成部
0105，0705，1305，1805，2305，2805，3405，3905，4305：電子化計測結果チャート保持部
0107，0707，1307，1807，2307，2807，3407，3907，4307：電子化計測結果チャート出力部
0702                            ：リアルタイム計測結果データ取得手段
0708                            ：リアルタイム電子化計測結果チャート出力手段
0709,1811                       ：リアルタイムメモ挿入部
1309                            ：事後的メモ挿入部
1802                            ：リアルタイム計測結果データ取得手段
1808                            ：リアルタイム電子化計測結果チャート出力手段
1809                             :識別事後的メモ挿入部、
2308                            ：第一プリンター出力手段
2808                            ：チャート用紙出力手段
3402，3902                      ：ファイル処理単位情報取得手段
3404，3904                      ：区切生成手段
3906，4306                      ：ファイル単位保持手段
4309                            ：計測開始・終了指示入力部
ＳＥ                            ：センサー
【図１】
2020030195.tif 000003
【図２】
2020030195.tif 000004
【図３】
2020030195.tif 000005
【図４】
2020030195.tif 000006
【図５】
2020030195.tif 000007
【図６】
2020030195.tif 000008
【図７】
2020030195.tif 000009
【図８】
2020030195.tif 000010
【図９】
2020030195.tif 000011
【図１０】
2020030195.tif 000012
【図１１】
2020030195.tif 000013
【図１２】
2020030195.tif 000014
【図１３】
2020030195.tif 000015
【図１４】
2020030195.tif 000016
【図１５】
2020030195.tif 000017
【図１６】
2020030195.tif 000018
【図１７】
2020030195.tif 000019
【図１８】
2020030195.tif 000020
【図１９】
2020030195.tif 000021
【図２０】
2020030195.tif 000022
【図２１】
2020030195.tif 000023
【図２２】
2020030195.tif 000024
【図２３】
2020030195.tif 000025
【図２４】
2020030195.tif 000026
【図２５】
2020030195.tif 000027
【図２６】
2020030195.tif 000028
【図２７】
2020030195.tif 000029
【図２８】
2020030195.tif 000030
【図２９】
2020030195.tif 000031
【図３０】
2020030195.tif 000032
【図３１】
2020030195.tif 000033
【図３２】
2020030195.tif 000034
【図３３】
2020030195.tif 000035
【図３４】
2020030195.tif 000036
【図３５】
2020030195.tif 000037
【図３６】
2020030195.tif 000038
【図３７】
2020030195.tif 000039
【図３８】
2020030195.tif 000040
【図３９】
2020030195.tif 000041
【図４０】
2020030195.tif 000042
【図４１】
2020030195.tif 000043
【図４２】
2020030195.tif 000044
【図４３】
2020030195.tif 000045
【図４４】
2020030195.tif 000046
【図４５】
2020030195.tif 000047
【図４６】
2020030195.tif 000048